(57)【要約】開示されるものは、電力制御方法、第１の通信ノード、および第２の通信ノードである。電力制御方法は、第１の通信ノードによって、電力制御パラメータと基準信号情報との間の関連付けを構成するステップと、第１の通信ノードによって、第２の通信ノードに関する伝送の基準信号を構成するかまたは示すステップであって、これにより、第２の通信ノードは、伝送の基準信号および関連付けに従って、伝送の電力制御パラメータを決定する、ステップとを含む。
2021510479.tif 000002
【特許請求の範囲】
【請求項１】
電力制御方法であって、
第１の通信ノードによって、電力制御パラメータと基準信号情報との間の関連付けを構成することと、
前記第１の通信ノードによって、第２の通信ノードに関する伝送の基準信号を構成するかまたは示すことであって、これにより、前記第２の通信ノードは、前記伝送の基準信号および前記関連付けに従って、前記伝送の電力制御パラメータを決定する、ことと
を含む、電力制御方法。
【請求項２】
前記伝送の基準信号は、前記伝送の伝送様式を決定するために構成される、請求項１に記載の電力制御方法。
【請求項３】
前記電力制御パラメータは、少なくとも１つの開ループ電力制御パラメータセットまたは開ループ電力制御パラメータセットインデックス、少なくとも１つの経路損失測定パラメータセットまたは経路損失測定パラメータセットインデックス、または少なくとも１つの閉ループ電力制御プロセスパラメータまたは閉ループ電力制御プロセスインデックスのうちの少なくとも１つを含み、
前記基準信号情報は、少なくとも１つの基準信号または基準信号インデックス、少なくとも１つの基準信号リソースまたは基準信号リソースインデックス、少なくとも１つの空間的関係情報または空間的関係情報インデックス、少なくとも１つの基準信号リソースグループまたは基準信号リソースグループインデックス、または少なくとも１つの基準信号リソース組み合わせまたは基準信号リソース組み合わせインデックスのうちの少なくとも１つを含む、請求項１に記載の電力制御方法。
【請求項４】
前記少なくとも１つの開ループ電力制御パラメータセットはそれぞれ、標的受信電力または経路損失係数のうちの少なくとも１つを含む、または、
前記少なくとも１つの経路損失測定パラメータセットはそれぞれ、経路損失測定に関する基準信号リソースタイプインジケーション、前記経路損失測定に関する基準信号リソースインジケーション、または前記経路損失測定に関する２つ以上の基準信号の経路損失値を処理するためのルールのうちの少なくとも１つを含む、または、
前記少なくとも１つの閉ループ電力制御プロセスパラメータはそれぞれ、閉ループ電力制御プロセス識別子セットまたは閉ループ電力制御プロセスの数のうちの少なくとも１つを含む、請求項３に記載の電力制御方法。
【請求項５】
前記基準信号情報によって示される前記少なくとも１つの基準信号および前記少なくとも１つの空間的関係情報によって示される基準信号および前記伝送の基準信号は、同一のタイプの基準信号または同一の空間的関係に属する基準信号である、請求項３に記載の電力制御方法。
【請求項６】
前記第１の通信ノードによって、前記第２の通信ノードに関する少なくとも１つの基準信号リソースセットを構成することであって、前記少なくとも１つの基準信号リソースセットはそれぞれ、少なくとも１つの基準信号リソースを含む、こと
をさらに含む、請求項１または３に記載の電力制御方法。
【請求項７】
前記電力制御パラメータと前記基準信号情報との間の関連付けは、
前記電力制御パラメータと前記少なくとも１つの基準信号リソースセットの一部または全てのうちの個別のものにおける各基準信号リソースとの間の関連付け、または、
前記電力制御パラメータと具体的タイプの基準信号リソースセットにおける各基準信号リソースとの間の関連付け
を含む、請求項６に記載の電力制御方法。
【請求項８】
前記電力制御パラメータと前記基準信号情報との間の関連付けは、
前記電力制御パラメータと前記少なくとも１つの基準信号リソースセットのうちの１つにおける基準信号リソースの全ての可能性として考えられる組み合わせのそれぞれとの間の関連付け、または、
前記電力制御パラメータと前記少なくとも１つの基準信号リソースセットのうちの１つにおける前記基準信号リソースの部分的な可能性として考えられる組み合わせのそれぞれとの間の関連付け、または、
前記電力制御パラメータと前記少なくとも１つの基準信号リソースセットのうちの１つとの間の関連付け、または、
前記電力制御パラメータと具体的タイプの基準信号リソースセットとの間の関連付け、または、
前記電力制御パラメータと前記少なくとも１つの基準信号リソースグループのそれぞれとの間の関連付け
を含む、請求項６に記載の電力制御方法。
【請求項９】
前記少なくとも１つの基準信号リソースグループはそれぞれ、以下の様式のうちの１つ、すなわち、
前記第１の通信ノードによって、前記少なくとも１つの基準信号リソースグループのそれぞれに含まれる基準信号リソースを構成するかまたは示すこと、または、
同一のアンテナパネルに属する基準信号リソースを同一のグループに属させること
において決定される、請求項８に記載の電力制御方法。
【請求項１０】
前記具体的タイプは、コードブックベースの伝送スキームまたは非コードブックベースの伝送スキームのうちの１つを含む、請求項７または８に記載の電力制御方法。
【請求項１１】
前記関連付けは、少なくとも１つの関連付け関係コンポーネントを含み、前記少なくとも１つの関連付け関係コンポーネントはそれぞれ、開ループ電力制御パラメータセットインデックス、経路損失測定パラメータセットインデックス、または閉ループ電力制御プロセスインデックスのうちの少なくとも１つを含む、請求項１に記載の電力制御方法。
【請求項１２】
前記少なくとも１つの関連付け関係コンポーネントはそれぞれ、さらに、基準信号インデックス、基準信号リソースインデックス、空間的関係情報インデックス、基準信号リソースグループインデックス、または基準信号リソース組み合わせインデックスのうちの１つを含む、請求項１１に記載の電力制御方法。
【請求項１３】
前記少なくとも１つの関連付け関係コンポーネントはそれぞれ、基準信号、基準信号リソース、空間的関係情報、基準信号リソースグループ、または基準信号リソース組み合わせのうちの１つに対応する、請求項１１に記載の電力制御方法。
【請求項１４】
前記伝送の基準信号は、以下の様式において示される、すなわち、
前記少なくとも１つの基準信号リソースは、無線リソース制御シグナリングを通して示される、または、
前記少なくとも１つの基準信号リソースは、媒体アクセス制御制御要素シグナリングを通して示される、または、
前記少なくとも１つの基準信号リソースのサブセットが、前記媒体アクセス制御制御要素シグナリングを通して示され、前記サブセット内の少なくとも１つの基準信号リソースは、物理層シグナリングを通して示される、または、
前記少なくとも１つの基準信号リソースは、前記物理層シグナリングを通して示される、請求項１または３または６に記載の電力制御方法。
【請求項１５】
電力制御方法であって、
第２の通信ノードによって、構成されるかまたは示される伝送の基準信号を受信することと、
前記第２の通信ノードによって、電力制御パラメータと基準信号情報との間の事前構成された関連付けに従って、前記伝送の電力制御パラメータを決定することと
を含む、電力制御方法。
【請求項１６】
前記第２の通信ノードによって、前記構成された関連付けを受信することをさらに含む、請求項１５に記載の電力制御方法。
【請求項１７】
前記伝送の基準信号は、１つ以上の基準信号リソースを含み、
前記伝送の電力制御パラメータを決定することは、
前記１つ以上の基準信号リソースのそれぞれに対応する電力制御パラメータに従って、前記１つ以上の基準信号リソースのそれぞれに対応する前記伝送の電力制御パラメータを決定すること、または、
前記１つ以上の基準信号リソースのそれぞれに対応する前記電力制御パラメータに従って、前記１つ以上の基準信号リソースのそれぞれに対応する前記伝送の層の電力制御パラメータを決定すること、または、
前記１つ以上の基準信号リソースのそれぞれに対応する前記電力制御パラメータを決定し、所定のルールまたは構成されたルールに従って、前記伝送の電力制御パラメータとして１つの一連の電力制御パラメータを決定すること、または、
前記１つ以上の基準信号リソースのそれぞれに対応する前記電力制御パラメータを決定し、基準信号リソースグループに従って、前記基準信号リソースグループのそれぞれに対応する電力制御パラメータを決定すること
を含む、請求項１５または１６に記載の電力制御方法。
【請求項１８】
前記所定のルールまたは前記構成されたルールは、平均化、電力最大化基準、または電力最小化基準のうちの少なくとも１つを含む、請求項１７に記載の電力制御方法。
【請求項１９】
前記伝送の電力制御パラメータを決定することは、
基準信号リソースが位置する組み合わせに対応する電力制御パラメータを決定すること、または、
前記基準信号リソースが位置するセットに対応する電力制御パラメータを決定すること、または、
前記伝送の伝送スキームに対応する基準信号リソースセットに対応する電力制御パラメータを決定すること、または、
前記基準信号リソースが位置するグループに対応する電力制御パラメータを決定すること
を含む、請求項１５または１６に記載の電力制御方法。
【請求項２０】
電力制御方法であって、
第１の通信ノードによって、第２の通信ノードに関する少なくとも１つの一連の電力制御パラメータを構成し、前記第１の通信ノードによって、媒体アクセス制御制御要素シグナリングを通して前記少なくとも１つの一連の電力制御パラメータのうちの１つを示すことであって、これにより、前記第２の通信ノードは、前記媒体アクセス制御制御要素シグナリングを通して示された前記少なくとも１つの一連の電力制御パラメータのうちの１つに従って、電力制御を実施する、こと、または、
前記第１の通信ノードによって、前記第２の通信ノードに関する電力制御パラメータセットを構成し、前記第１の通信ノードによって、前記媒体アクセス制御制御要素シグナリングを通して前記電力制御パラメータセットにおける少なくとも１つの一連の電力制御パラメータを示すことであって、これにより、前記第２の通信ノードは、前記媒体アクセス制御制御要素シグナリングを通して示された前記少なくとも１つの一連の電力制御パラメータに従って、前記電力制御を実施し、前記媒体アクセス制御制御要素シグナリングを通して示された前記電力制御パラメータセットにおける前記少なくとも１つの一連の電力制御パラメータは、前記第２の通信ノードに関する伝送の少なくとも１つの基準信号と１対１対応にある、こと
を含む、電力制御方法。
【請求項２１】
第１の通信ノードであって、
電力制御パラメータと基準信号情報との間の関連付けを構成するように構成される第１の構成モジュールと、
第２の通信ノードに関する伝送の基準信号を構成するかまたは示すように構成される第１の送信モジュールであって、これにより、前記第２の通信ノードは、前記伝送の基準信号および前記関連付けに従って、前記伝送の電力制御パラメータを決定する、第１の送信モジュールと
を備える、第１の通信ノード。
【請求項２２】
第２の通信ノードであって、
受信モジュールであって、前記受信モジュールは、構成されるかまたは示される伝送の基準信号を受信するように構成される、受信モジュールと、
決定モジュールであって、前記決定モジュールは、電力制御パラメータと基準信号との間の事前構成された関連付けに従って、前記伝送の電力制御パラメータを決定するように構成される、決定モジュールと
を備える、第２の通信ノード。
【請求項２３】
前記受信モジュールはさらに、前記構成された関連付けを受信および保存するように構成される、請求項２２に記載の第２の通信ノード。
【請求項２４】
第１の通信ノードであって、
第２の構成モジュールであって、前記第２の構成モジュールは、第２の通信ノードに関する少なくとも１つの一連の電力制御パラメータを構成するかまたは前記第２の通信ノードに関する電力制御パラメータセットを構成するように構成される、第２の構成モジュールと、
第２の送信モジュールであって、前記第２の送信モジュールは、媒体アクセス制御制御要素シグナリングを通して前記少なくとも１つの一連の電力制御パラメータのうちの１つを示すように構成され、したがって、前記第２の通信ノードは、前記媒体アクセス制御制御要素シグナリングを通して示された１つの一連の電力制御パラメータに従って、電力制御を実施するか、または、前記媒体アクセス制御制御要素シグナリングを通して前記電力制御パラメータセットにおける少なくとも１つの一連の電力制御パラメータを示すように構成され、したがって、前記第２の通信ノードは、前記媒体アクセス制御制御要素シグナリングを通して示された前記少なくとも１つの一連の電力制御パラメータに従って、前記電力制御を実施する、第２の送信モジュールと
を備え、
前記媒体アクセス制御制御要素シグナリングを通して示された前記電力制御パラメータセットにおける前記少なくとも１つの一連の電力制御パラメータは、前記第２の通信ノードに関する伝送の少なくとも１つの基準信号と１対１対応にある、第１の通信ノード。
【請求項２５】
通信ノードであって、前記通信ノードは、プロセッサと、前記プロセッサ上で実行可能なコンピュータプログラムを記憶するように構成されるメモリとを備え、
前記プロセッサは、前記コンピュータプログラムが実行されると、請求項１−１４のいずれか１項に記載の電力制御方法を実施するか、または、前記コンピュータプログラムが実行されると、請求項１５−１９のいずれか１項に記載の電力制御方法を実施するか、または、前記コンピュータプログラムが実行されると、請求項２０に記載の電力制御方法を実施するように構成される、通信ノード。
【請求項２６】
プロセッサによって実行されると、請求項１−１４のいずれか１項に記載の電力制御方法を遂行するか、または請求項１５−１９のいずれか１項に記載の電力制御方法を遂行するか、または請求項２０に記載の電力制御方法を遂行するコンピュータプログラムを記憶するように構成される、コンピュータ可読記憶媒体。
【発明の詳細な説明】
【技術分野】
【０００１】
（関連出願の相互参照）
本願は、その開示が、参照することによってその全体として本明細書に組み込まれる、２０１８年１月１２日に出願された、中国特許出願第２０１８１００３２２９０．６号の優先権を主張する。
【０００２】
本願は、無線通信の分野に関し、特に、電力制御方法、第１の通信ノード、および第２の通信ノードに関する。
【背景技術】
【０００３】
現在、新しい無線（ＮＲ）技術が、開発中である。第５世代移動通信システムとして、本技術は、これまでにない数の異なるタイプの適用シナリオをサポートする必要があり、また、伝統的な周波数帯域、新しい高周波数帯域、およびビーム様式を同時にサポートする必要があり、これは、電力制御設計に大きな課題をもたらす。
【０００４】
ロングタームエボリューション（ＬＴＥ）における電力制御は、経路損失（ＰＬ）、標的受信電力、最大送信電力、閉ループ電力調節量、伝送帯域幅、および伝送速度等の多くの因子に関連する。ＮＲにおけるマルチビームシナリオでは、電力制御パラメータの一部は、ビームまたは伝送ビームペアリンク（ＢＰＬ）に関連するはずである。正確な電力制御を追求するために、ビームに関連する全ての電力制御パラメータは、最終的に、ＢＬＰに従って構成および維持されるが、ＢＰＬに関連するパラメータは、チャネル変化に感受性があり、送信または受信のために使用されるビームのいかなる変化も、ＢＰＬに関連するパラメータの構成更新を引き起こし、したがって、無線リソース制御（ＲＲＣ）シグナリングオーバーヘッドが、大きく、伝送遅延が、増加され、柔軟性が、低減される。
【発明の概要】
【発明が解決しようとする課題】
【０００５】
電力制御方法、第１の通信ノード、および第２の通信ノードが、上層シグナリングオーバーヘッドを低減させ、伝送遅延を低減させ、柔軟性を改良するように、本願の実施形態において提供される。
【課題を解決するための手段】
【０００６】
電力制御方法が、本願の実施形態において提供される。本方法は、第１の通信ノードによって、電力制御パラメータと基準信号情報との間の関連付けを構成するステップと、第１の通信ノードによって、第２の通信ノードに関する伝送の基準信号を構成するかまたは示すステップであって、これにより、第２の通信ノードは、伝送の基準信号および関連付けに従って、伝送の電力制御パラメータを決定する、ステップとを含む。
【０００７】
ある実施形態では、伝送の基準信号は、伝送の伝送様式を決定するために使用される。
【０００８】
ある実施形態では、電力制御パラメータは、少なくとも１つの開ループ電力制御パラメータセットまたは開ループ電力制御パラメータセットインデックス、少なくとも１つの経路損失測定パラメータセットまたは経路損失測定パラメータセットインデックス、または少なくとも１つの閉ループ電力制御プロセスパラメータまたは閉ループ電力制御プロセスインデックスのうちの少なくとも１つを含む。
【０００９】
基準信号情報は、少なくとも１つの基準信号または基準信号インデックス、少なくとも１つの基準信号リソースまたは基準信号リソースインデックス、少なくとも１つの空間的関係情報または空間的関係情報インデックス、少なくとも１つの基準信号リソースグループまたは基準信号リソースグループインデックス、または少なくとも１つの基準信号リソース組み合わせまたは基準信号リソース組み合わせインデックスのうちの少なくとも１つを含む。
【００１０】
ある実施形態では、開ループ電力制御パラメータセットは、標的受信電力または経路損失係数のうちの少なくとも１つを含む。
【００１１】
代替として、経路損失測定パラメータセットは、経路損失測定に関する基準信号リソースタイプインジケーション、経路損失測定に関する基準信号リソースインジケーション、または経路損失測定に関する２つ以上の基準信号の経路損失値を処理するためのルールのうちの少なくとも１つを含む。
【００１２】
代替として、閉ループ電力制御プロセスパラメータは、閉ループ電力制御プロセス識別子セットまたは閉ループ電力制御プロセスの数のうちの少なくとも１つを含む。
【００１３】
ある実施形態では、基準信号情報によって示される基準信号および空間的関係情報によって示される基準信号および伝送の基準信号は、同一のタイプの基準信号または同一の空間的関係に属する基準信号である。
【００１４】
ある実施形態では、本方法はさらに、第１の通信ノードが、前もって第２の通信ノードに関する少なくとも１つの基準信号リソースセットを構成することを含み、基準信号リソースセットは、少なくとも１つの基準信号リソースを含む。
【００１５】
ある実施形態では、電力制御パラメータと基準信号情報との間の関連付けは、電力制御パラメータと基準信号リソースセットの一部または全てのうちの個別のものにおける各基準信号リソースとの間の関連付け、または電力制御パラメータと具体的タイプの基準信号リソースセットにおける各基準信号リソースとの間の関連付けを含む。
【００１６】
ある実施形態では、電力制御パラメータと基準信号情報との間の関連付けは、
電力制御パラメータと少なくとも１つの基準信号リソースセットのうちの１つにおける基準信号リソースの全ての可能性として考えられる組み合わせのそれぞれとの間の関連付け、または、
電力制御パラメータと少なくとも１つの基準信号リソースセットのうちの１つにおける基準信号リソースの部分的な可能性として考えられる組み合わせのそれぞれとの間の関連付け、または、
電力制御パラメータと少なくとも１つの基準信号リソースセットのうちの１つとの間の関連付け、または、
電力制御パラメータと具体的タイプの基準信号リソースセットとの間の関連付け、または、
電力制御パラメータと基準信号リソースグループとの間の関連付け、
を含む。
【００１７】
ある実施形態では、基準信号リソースグループは、以下の様式のうちの１つにおいて決定される、すなわち、第１の通信ノードは、各基準信号リソースグループに含まれる基準信号リソースを構成するかまたは示す、または同一のアンテナパネルに属する基準信号リソースは、同一のグループに属する。
【００１８】
ある実施形態では、具体的タイプは、コードブックベースの伝送スキームまたは非コードブックベースの伝送スキームのうちの１つを含む。
【００１９】
ある実施形態では、関連付けは、少なくとも１つの関連付け関係コンポーネントを含み、各関連付け関係コンポーネントは、開ループ電力制御パラメータセットインデックス、経路損失測定パラメータセットインデックス、または閉ループ電力制御プロセスインデックスのうちの少なくとも１つを含む。
【００２０】
ある実施形態では、関連付け関係コンポーネントはさらに、基準信号インデックス、基準信号リソースインデックス、空間的関係情報インデックス、基準信号リソースグループインデックス、または基準信号リソース組み合わせインデックスのうちの１つを含む。
【００２１】
ある実施形態では、関連付け関係コンポーネントは、基準信号、基準信号リソース、空間的関係情報、基準信号リソースグループ、または基準信号リソース組み合わせのうちの１つに対応する。
【００２２】
ある実施形態では、伝送の基準信号は、以下の様式において示される、すなわち、
少なくとも１つの基準信号リソースは、無線リソース制御シグナリングを通して示される、
少なくとも１つの基準信号リソースは、媒体アクセス制御制御要素シグナリングを通して示される、または、
少なくとも１つの基準信号リソースのサブセットが、媒体アクセス制御制御要素シグナリングを通して示され、サブセット内の少なくとも１つの基準信号リソースは、物理層シグナリングを通して示される、または、
少なくとも１つの基準信号リソースは、物理層シグナリングを通して示される。
【００２３】
電力制御方法がさらに、本願の実施形態において提供され、下記に説明されるステップを含む。
【００２４】
第２の通信ノードは、構成されるかまたは示される伝送の基準信号を受信し、第２の通信ノードは、電力制御パラメータと基準信号情報との間の事前構成された関連付けに従って、伝送の電力制御パラメータを決定する。
【００２５】
ある実施形態では、本方法はさらに、第２の通信ノードが、構成された関連付けを受信することを含む。
【００２６】
ある実施形態では、伝送の基準信号は、１つ以上の基準信号リソースを含み、伝送の電力制御パラメータを決定するステップは、
各基準信号リソースに対応する電力制御パラメータに従って、各基準信号リソースに対応する伝送の電力制御パラメータを決定するステップ、または、
各基準信号リソースに対応する電力制御パラメータに従って、各基準信号リソースに対応する伝送の層の電力制御パラメータを決定するステップ、または、
各基準信号リソースに対応する電力制御パラメータを決定し、所定のルールまたは構成されたルールに従って、伝送の電力制御パラメータとして１つの一連の電力制御パラメータを決定するステップ、または、
各基準信号リソースに対応する電力制御パラメータを決定し、基準信号リソースグループに従って、各グループに対応する電力制御パラメータを決定するステップ、
を含む。
【００２７】
ある実施形態では、所定のルールまたは構成されたルールは、平均化、電力最大化基準、または電力最小化基準のうちの少なくとも１つを含む。
【００２８】
ある実施形態では、伝送の電力制御パラメータを決定するステップは、
基準信号リソースが位置する組み合わせに対応する電力制御パラメータを決定するステップ、または、
基準信号リソースが位置するセットに対応する電力制御パラメータを決定するステップ、または、
伝送の伝送スキームに対応する、基準信号リソースセットに対応する電力制御パラメータを決定するステップ、または、
基準信号リソースが位置するグループに対応する電力制御パラメータを決定するステップ、
を含む。
【００２９】
電力制御方法がさらに、本願の実施形態において提供され、下記に説明されるステップを含む。
【００３０】
第１の通信ノードは、第２の通信ノードに関する少なくとも１つの一連の電力制御パラメータを構成する。
【００３１】
第１の通信ノードは、媒体アクセス制御制御要素シグナリングを通して少なくとも１つの一連の電力制御パラメータの中から１つの一連の電力制御パラメータを示し、したがって、第２の通信ノードは、媒体アクセス制御制御要素シグナリングを通して示された１つの一連の電力制御パラメータに従って、電力制御を実施する。
【００３２】
代替として、第１の通信ノードは、第２の通信ノードに関する電力制御パラメータセットを構成する。
【００３３】
第１の通信ノードは、媒体アクセス制御制御要素シグナリングを通して電力制御パラメータセットにおける少なくとも１つの一連の電力制御パラメータを示し、したがって、第２の通信ノードは、媒体アクセス制御制御要素シグナリングを通して示された少なくとも１つの一連の電力制御パラメータに従って、電力制御を実施する。
【００３４】
媒体アクセス制御制御要素シグナリングを通して示された電力制御パラメータセットにおける少なくとも１つの一連の電力制御パラメータは、第２の通信ノードに関する伝送の少なくとも１つの基準信号と１対１対応にある。
【００３５】
第１の通信ノードがさらに、本願の実施形態において提供され、第１の構成モジュールと、第１の送信モジュールとを含む。
【００３６】
第１の構成モジュールは、電力制御パラメータと基準信号情報との間の関連付けを構成するように構成される。
【００３７】
第１の送信モジュールは、第２の通信ノードに関する伝送の基準信号を構成するかまたは示すように構成され、したがって、第２の通信ノードは、伝送の基準信号および関連付けに従って、伝送の電力制御パラメータを決定する。
【００３８】
第２の通信ノードがさらに、本願の実施形態において提供され、受信モジュールと、決定モジュールとを含む。
【００３９】
受信モジュールは、構成されるかまたは示される伝送の基準信号を受信するように構成される。
【００４０】
決定モジュールは、電力制御パラメータと基準信号との間の事前構成された関連付けに従って、伝送の電力制御パラメータを決定するように構成される。
【００４１】
ある実施形態では、受信モジュールはさらに、構成された関連付けを受信および保存するように構成される。
【００４２】
第１の通信ノードがさらに、本願の実施形態において提供され、第２の構成モジュールと、第２の送信モジュールとを含む。
【００４３】
第２の構成モジュールは、第２の通信ノードに関する少なくとも１つの一連の電力制御パラメータを構成する、または第２の通信ノードに関する電力制御パラメータセットを構成するように構成される。
【００４４】
第２の送信モジュールは、媒体アクセス制御制御要素シグナリングを通して少なくとも１つの一連の電力制御パラメータの中から１つの一連の電力制御パラメータを示すように構成され、したがって、第２の通信ノードは、媒体アクセス制御制御要素シグナリングを通して示された１つの一連の電力制御パラメータに従って、電力制御を実施するか、または、媒体アクセス制御制御要素シグナリングを通して電力制御パラメータセットにおける少なくとも１つの一連の電力制御パラメータを示すように構成され、したがって、第２の通信ノードは、媒体アクセス制御制御要素シグナリングを通して示された少なくとも１つの一連の電力制御パラメータに従って、電力制御を実施する。
【００４５】
媒体アクセス制御制御要素シグナリングを通して示された電力制御パラメータセットにおける少なくとも１つの一連の電力制御パラメータは、第２の通信ノードに関する伝送の少なくとも１つの基準信号と１対１対応にある。
【００４６】
通信ノードがさらに、本願の実施形態において提供され、プロセッサと、プロセッサ上で実行可能なコンピュータプログラムを記憶するためのメモリとを含み、プロセッサは、コンピュータプログラムが実行されると、第１の通信ノードに適用される電力制御方法または第２の通信ノードに適用される電力制御方法を実施するように構成される。
【００４７】
コンピュータ可読記憶媒体がさらに、本願の実施形態において提供され、プロセッサによって実行されると、第１の通信ノードに適用される電力制御方法または第２の通信ノードに適用される電力制御方法を遂行するコンピュータプログラムを記憶するように構成される。
【００４８】
本願の実施形態において提供される技術的ソリューションを用いると、第１の側面では、本願の第１の通信ノードは、ビームリソースが変化する度に電力制御パラメータを再構成することなく、第２の通信ノードが、伝送の基準信号情報および関連付けに従って、伝送の電力制御パラメータを決定するように、電力制御パラメータと基準信号情報との間の関連付けを構成し、これは、上層シグナリングのオーバーヘッドを低減させ、伝送遅延を低減させ、柔軟性を改良する。第２の側面では、本願において、電力制御パラメータは、上層シグナリングのオーバーヘッドが低減され、伝送遅延が低減され、柔軟性が改良されるように、ＭＡＣ  ＣＥシグナリングを通して示される。
【００４９】
本願の他の特徴および利点が、以降で説明において詳述され、さらに、部分的に説明から明白となる、または本願の実装を通して理解されるであろう。本願の目的および他の利点が、説明、請求項、および図面に記載される構造を通して達成および取得されることができる。
【００５０】
図面は、本願の技術的ソリューションのさらなる理解のために提供され、説明の一部を構成する。本願の図面および実施形態は、本願の技術的ソリューションを解説するために使用され、本願の技術的ソリューションを限定することを意図していない。
【図面の簡単な説明】
【００５１】
【図１】図１は、本願のある実施形態による、第１の通信ノード側上の電力制御方法のフローチャートである。
【図２】図２は、本願のある実施形態による、第２の通信ノード側上の電力制御方法のフローチャートである。
【図３】図３は、本願のある実施形態による、第１の通信ノード側上の別の電力制御方法のフローチャートである。
【図４】図４は、本願のある実施形態による、第１の通信ノード側上の別の電力制御方法のフローチャートである。
【図５】図５は、本願の第１の実施形態による、電力制御方法のフローチャートである。
【図６】図６は、本願の第２の実施形態による、電力制御方法のフローチャートである。
【図７】図７は、本願の第３の実施形態による、電力制御方法のフローチャートである。
【図８】図８は、本願の第４の実施形態による、電力制御方法のフローチャートである。
【図９】図９は、本願のある実施形態による、第１の通信ノードの構造図である。
【図１０】図１０は、本願のある実施形態による、第２の通信ノードの構造図である。
【図１１】図１１は、本願のある実施形態による、第１の通信ノードの別の構造図である。
【図１２】図１２は、本願のある実施形態による、通信ノードの構造図である。
【発明を実施するための形態】
【００５２】
本願の目的、技術的ソリューション、および利点が、図面と併せた本願の実施形態の詳細な説明からより明白となるであろう。対立しない場合、本願における実施形態およびその中の特徴は、相互に組み合わせられ得ることに留意されたい。
【００５３】
図面のフローチャートに図示されるステップは、命令を実行することが可能なコンピュータの群等のコンピュータシステムによって実施されてもよい。さらに、論理的シーケンスがフローチャートに図示されるが、示される、または説明されるステップは、ある場合には、本明細書に説明されるものと異なるシーケンスにおいて実施されてもよい。
【００５４】
無線通信システムでは、送信電力制御が、送信デバイスの電力消費を低減させ、不必要な高電力伝送に起因する他の伝送への干渉を低減させるために、伝送に関して要求される。送信電力は、通信範囲のサイズ、通信中の両方の当事者の送受信デバイスの最大送信電力および受信感度、変調およびコーディングスキームおよびデータの速度、動作周波数帯域、および伝送によって占有される帯域幅等の因子によって影響を受ける。概して、より低い送信電力が、受信側において受信される信号の品質要件が満たされる条件の下で、可能な限り使用されることが必要である。
【００５５】
一般的通信技術では、電力制御は、開ループ電力制御と、閉ループ電力制御とを含む。
【００５６】
開ループ電力制御は、ＰＬに基づいて電力制御を実施することを指す。すなわち、第１の通信ノードが、基準信号を送信し、第２の通信ノードが、基準信号に従って、第１の通信ノードから第２の通信ノードまでのＰＬを測定する。ＰＬは、基準信号が第１の通信ノードによって送信される送信電力と基準信号が第２の通信ノードによって受信される受信電力との間の差異である。第２の通信ノードから第１の通信ノードまでの伝送チャネルのＰＬは、第１の通信ノードから第２の通信ノードまでのチャネルのＰＬと同一であると仮定され、次いで、第２の通信ノードは、第２の通信ノードが送信ノードとしての役割を果たすとき、上記のＰＬを使用し、第１の通信ノードへの伝送の送信電力を計算し得る。ＰＬは、片側測定されるため、ＰＬは、送信電力制御の開ループ部分に属する。閉ループ電力制御は、第１の通信ノードが、伝送を受信した後に分析を行い、受信された品質に従って第２の通信ノードに関する電力調節情報を提供することを指す。
【００５７】
ＬＴＥでは、基地局から端末へのリンクは、ダウンリンクであり、端末から基地局へのリンクは、アップリンクである。ダウンリンクの送信電力は、１つ以上のスケジューリングユーザ機器（ＵＥ）のチャネル測定結果およびスケジューリングアルゴリズムによって決定される。アップリンクの送信電力は、開ループ電力制御および閉ループ電力制御の組み合わせによって決定される。加えて、送信電力はまた、送信速度、変調およびコーディングスキーム（ＭＣＳ）レベル、および送信帯域幅等の伝送に関連する具体的量に関連する。
【００５８】
以下は、ＬＴＥの物理アップリンク共有チャネル（ＰＵＳＣＨ）の送信電力に関する計算式である。これは、送信電力に影響を及ぼすパラメータを説明するための実施例として使用される。
【化１】
2021510479.tif 000003
ｉは、サブフレーム数であり、ｍは、ランダムアクセスプロセスにおけるＰＵＳＣＨチャネル上で伝送されるメッセージ３（Ｍｓｇ３）、動的スケジューリングを伴うＰＵＳＣＨ伝送、および半永続的認証を伴うＰＵＳＣＨ伝送等の異なるスケジューリングタイプまたは異なる使用のＰＵＳＣＨ伝送を区別するために使用され、
【化２】
2021510479.tif 000004
は、ｉ番目のサブフレームの送信電力であり、
【化３】
2021510479.tif 000005
は、ＵＥのｉ番目のサブフレームの最大送信電力であり、
【化４】
2021510479.tif 000006
は、周波数領域内のｉ番目のサブフレームのＰＵＳＣＨ伝送によって占有される帯域幅（リソースブロック（ＲＢ）の単位における）であり、
【化５】
2021510479.tif 000007
は、ｍ番目のタイプの伝送の標的受信電力であり、
【化６】
2021510479.tif 000008
は、ｍ番目のタイプの伝送の経路損失係数であり、
【化７】
2021510479.tif 000009
は、ＭＣＳ関連電力オフセットであり、
【化８】
2021510479.tif 000010
は、ＵＥのローカル閉ループ電力制御調節量である。
【００５９】
上記の公式では、下付き文字ｃは、セルを指し、キャリアアグリゲーション（ＣＡ）機能をサポートする各コンポーネントキャリア（ＣＣ）は、１つのセルに対応する。上記の公式から、電力計算式における各パラメータは、構成または計算されるセルであることが分かり得る。本願における全てのパラメータ説明は、１つのＣＣに関して提供され、いかなる具体的参照も、セルに行われない。本願の全てのパラメータは、複数のＣＣに拡張され得、単に、電力関連パラメータは、ＣＣ毎に独立して構成される必要があることに留意されたい。
【００６０】
【化９】
2021510479.tif 000011
の開ループ部分は、
【化１０】
2021510479.tif 000012
と、ＰＬｃと、
【化１１】
2021510479.tif 000013
とを含む。
【化１２】
2021510479.tif 000014
は、ＵＥに関する基地局によって決定および構成される、セル特有パラメータおよびＵＥ特有パラメータに分割される。セル特有標的受信電力ＰＯ＿ｎｏｍｉｎａｌは、ＰＵＳＣＨ（半静的、動的、Ｍｓｇ３）および物理アップリンク制御チャネル（ＰＵＣＣＨ）に関して異なり、これらは、それぞれ、異なるブロックエラーレート（ＢＬＥＲ）要件に対応する。ＵＥ特有標的受信電力ＰＯ＿ＵＥ＿ｓｐｅｃｉｆｉｃもまた、上記の異なるアイテムに関して異なるように設定され、その機能は、ＰＬ推定エラーおよび絶対出力電力に関するエラーセット等の系統的逸脱を補償することである。
【００６１】
【化１３】
2021510479.tif 000015
の閉ループ部分は、閉ループ電力制御調節量を含む。閉ループ電力制御調節量は、信号受信品質と所望の受信品質との間の差異に従って基地局によって決定され、ＵＥは、伝送電力制御コマンド（ＴＰＣコマンド）の様式で閉ループ電力制御調節量を通知される。
【００６２】
ＵＥは、ローカル閉ループ電力制御調節量を維持し、閉ループ電力制御調節量は、伝送電力制御コマンドに従って更新され、閉ループ電力制御の目的は、上記の公式を採用することによって達成される。
【００６３】
２つの様式が、伝送電力制御コマンドに従ってローカル閉ループ電力制御調節量を更新するために存在し、それぞれ、蓄積様式および絶対値様式である。蓄積様式は、基地局によって送信される伝送電力制御コマンドおよびＵＥのローカル閉ループ電力制御調節量の履歴値に従って、合同でＵＥのローカル閉ループ電力制御調節量を決定することを指す。絶対値様式は、基地局によって送信される伝送電力制御コマンドに従って、直接ＵＥのローカル閉ループ電力制御調節量を更新することを指す。
【００６４】
５Ｇ技術は、ビーム伝送スキームを導入し、基地局およびＵＥの両方が、複数ビーム様式をサポートする。ビームモードにおける動作の間、ビームの特徴が、電力計算のために考慮される必要がある。
【００６５】
図１を参照すると、電力制御方法が、本願の実施形態において提供され、下記に説明されるステップを含む。
【００６６】
ステップ１００において、第１の通信ノードが、電力制御パラメータと基準信号情報との間の関連付けを構成する。
【００６７】
本願の実施形態では、電力制御パラメータは、少なくとも１つの開ループ電力制御パラメータセットまたは開ループ電力制御パラメータセットインデックス、少なくとも１つの経路損失測定パラメータセットまたは経路損失測定パラメータセットインデックス、または少なくとも１つの閉ループ電力制御プロセスパラメータまたは閉ループ電力制御プロセスインデックスのうちの少なくとも１つを含む。
【００６８】
本願の実施形態では、基準信号情報は、少なくとも１つの基準信号または基準信号インデックス、少なくとも１つの基準信号リソースまたは基準信号リソースインデックス、少なくとも１つの空間的関係情報または空間的関係情報インデックス、少なくとも１つの基準信号リソースグループまたは基準信号リソースグループインデックス、または少なくとも１つの基準信号リソース組み合わせまたは基準信号リソース組み合わせインデックスのうちの少なくとも１つを含む。
【００６９】
基準信号リソースインデックスはまた、基準信号リソースインジケーションとして表されてもよい。
【００７０】
基準信号は、サウンディング基準信号、同期信号ブロック、またはチャネル状態情報測定基準信号のうちの１つを含む。
【００７１】
本願の実施形態における識別子、インデックス、ＩＤ、およびインジケーションは、複数の均質なアイテムのうちの１つを識別するための同等の概念である。
【００７２】
空間的関係はまた、空間的関連付け関係と称される。
【００７３】
開ループ電力制御パラメータセットは、標的受信電力または経路損失補償係数（経路損失係数とも称される）のうちの少なくとも１つを含む。経路損失測定パラメータセットは、経路損失測定に関する基準信号リソースタイプインジケーション、経路損失測定に関する基準信号リソースインジケーション、または経路損失測定に関する基準信号の経路損失値を処理するためのルールのうちの少なくとも１つを含む。
【００７４】
閉ループ電力制御プロセスパラメータは、閉ループ電力制御プロセス識別子セットまたは閉ループ電力制御プロセスの数のうちの少なくとも１つを含む。
【００７５】
異なる閉ループ電力制御プロセスは、異なるローカル閉ループ電力制御調節量に対応する。
【００７６】
ここでは、例えば、開ループ電力制御パラメータセットインデックスは、変数ｊによって表され、経路損失測定パラメータセットインデックスは、変数ｋによって表され、閉ループ電力制御プロセスインデックスは、変数ｌによって表される。電力制御パラメータは、次いで、セット｛ｊ，ｋ，ｌ｝によって表されてもよく、１つの一連の制御パラメータは、｛ｊ｝、｛ｋ｝、｛ｌ｝、｛ｊ，ｋ｝、｛ｊ，ｌ｝、｛ｋ，ｌ｝、および｛ｊ，ｋ，ｌ｝等のサブセットによって表されてもよい。
【００７７】
本願の実施形態では、電力制御パラメータと基準信号情報との間の関連付けは、電力制御パラメータと基準信号リソースセットの一部または全てのうちの個別のものにおける各基準信号リソースとの間の関連付け、または電力制御パラメータと具体的タイプの基準信号リソースセットにおける各基準信号リソースとの間の関連付けを含む。
【００７８】
具体的タイプは、コードブックベースの伝送スキームまたは非コードブックベースの伝送スキームのうちの１つを含む。
【００７９】
電力制御パラメータと基準信号情報との間の関連付けは、電力制御パラメータと少なくとも１つの基準信号リソースセットのうちの１つにおける基準信号リソースの全ての可能性として考えられる組み合わせのそれぞれとの間の関連付け、または電力制御パラメータと少なくとも１つの基準信号リソースセットのうちの１つにおける基準信号リソースの部分的な可能性として考えられる組み合わせのそれぞれとの間の関連付け、または電力制御パラメータと少なくとも１つの基準信号リソースセットのうちの１つとの間の関連付け、または電力制御パラメータと具体的タイプの基準信号リソースセットとの間の関連付け、または電力制御パラメータと基準信号リソースグループとの間の関連付けを含む。
【００８０】
上記に説明される基準信号リソースグループは、明示的に構成されるか、または暗示的に構成されるかのいずれかであってもよい。明示的構成が採用されるとき、第１の通信ノードは、各グループ内に含まれる基準信号リソースを構成するかまたは示し、暗示的構成が採用されるとき、同一のアンテナパネルに属する基準信号リソースは、同一のグループに属する。
【００８１】
本願の実施形態では、関連付けは、少なくとも１つの関連付け関係コンポーネントを含み、各関連付け関係コンポーネントは、開ループ電力制御パラメータセットインデックス、経路損失測定パラメータセットインデックス、または閉ループ電力制御プロセスインデックスのうちの少なくとも１つを含む。
【００８２】
随意に、関連付け関係コンポーネントはさらに、基準信号インデックス、基準信号リソースインデックス、空間的関係情報インデックス、基準信号リソースグループインデックス、または基準信号リソース組み合わせインデックスのうちの１つを含む。
【００８３】
随意に、関連付け関係コンポーネントは、基準信号、基準信号リソース、空間的関係情報、基準信号リソースグループ、または基準信号リソース組み合わせのうちの１つに対応する。
【００８４】
随意に、関連付け関係コンポーネントはさらに、基準信号、基準信号リソース、空間的関係情報、基準信号リソースグループ、または基準信号リソース組み合わせのうちの１つを含む。
【００８５】
上記の関連付けは、ＲＲＣシグナリングまたは媒体アクセス制御制御要素（ＭＡＣ  ＣＥ）シグナリングを通して構成され得ることに留意されたい。
【００８６】
ステップ１０１において、第１の通信ノードは、第２の通信ノードに関する伝送の基準信号を構成するかまたは示し、したがって、第２の通信ノードは、伝送の基準信号および関連付けに従って、伝送の電力制御パラメータを決定する。
【００８７】
本願の実施形態では、伝送は、チャネルまたは信号を指す。
【００８８】
チャネルは、ＰＵＳＣＨ、長いＰＵＳＣＨ、短いＰＵＳＣＨ、物理アップリンク制御チャネル（ＰＵＣＣＨ）、長いＰＵＣＣＨ、または短いＰＵＣＣＨのうちの少なくとも１つであってもよい。
【００８９】
信号は、サウンディング基準信号（ＳＲＳ）および同等物であってもよい。
【００９０】
本願の実施形態では、上記に説明される異なるタイプのチャネルまたは信号は、独立して、または組み合わせて、電力制御パラメータを用いて構成されてもよい。組み合わせにおける構成は、異なるチャネルまたは信号が同一の値を共有し得ることを指し、同一の値を共有し得るチャネルまたは信号は、所定の様式で決定される、または第１の通信ノードによって構成される。
【００９１】
本願の実施形態では、伝送の基準信号は、伝送の伝送様式を決定するために使用される。伝送様式は、送信ビーム、送信ポート、送信リソース、基準信号シーケンス、または送信プリコーディング行列（アナログ、デジタル、またはハイブリッド様式における）のうちの少なくとも１つを含む。
【００９２】
本願の実施形態では、基準信号情報によって示される基準信号および空間的関係情報によって示される基準信号および伝送の基準信号は、同一のタイプの基準信号または同一の空間的関係に属する基準信号である。
【００９３】
本願の実施形態では、空間的関係はまた、空間的関連付け関係とも称される。伝送の空間的関係は、伝送のために構成される１つ以上の基準信号または１つ以上の基準信号リソースである。
【００９４】
伝送の空間的関係において構成される１つ以上の基準信号は、伝送が実施される様式を決定するために使用され、例えば、伝送の送信ビームが、基準信号の送信ビームと同一である、または伝送の送信ビームおよび基準信号の送信ビームが、あるチャネル特徴仮定を満たす、または伝送の送信ビームおよび基準信号の送信ビームが、擬似コロケーション（ＱＣＬ）関係を満たす。
【００９５】
同一の空間的関係に属する基準信号は、あるチャネル特徴仮定を満たす、またはＱＣＬ関係を満たす。
【００９６】
本願の実施形態では、例えば、ＳＲＳまたはＳＲＳインジケーション情報が、インジケーションのために使用される。例えば、ＰＵＳＣＨの空間的関係がＳＲＳリソースを使用することによって示される場合、ＰＵＳＣＨを送信するための占有された基準信号リソースは、ＳＲＳの指定された基準信号リソースと同一である、またはＱＣＬ関係が、ＰＵＳＣＨを送信するための占有された基準信号リソースとＳＲＳの指定された基準信号リソースとの間に存在する。
【００９７】
別の実施例に関して、ダウンリンク基準信号（ＲＳ）リソースが、ＰＵＳＣＨの空間的関係を示すために使用され、ダウンリンクＲＳは、同期信号ブロック（ＳＳＢ）、チャネル状態情報基準信号（ＣＳＩ−ＲＳ）、および同等物を含み、この時点で、伝送の基準信号リソースは、以下の様式において決定される、すなわち、ダウンリンクＲＳを受信するための最良の性能を有する受信ビームが、第２の通信ノードの複数の受信ビームから、伝送の送信ビームとして選択される。
【００９８】
本願の実施形態では、伝送の基準信号は、以下の様式のうちのいずれか１つにおいて示される、すなわち、第１に、少なくとも１つの基準信号リソースが、無線リソース制御（ＲＲＣ）シグナリングを通して示され、第２に、少なくとも１つの基準信号リソースが、ＭＡＣ  ＣＥシグナリングを通して示され、第３に、基準信号リソースのサブセットが、媒体アクセス制御制御要素シグナリングを通して示され、サブセット内の少なくとも１つの基準信号リソースが、物理層シグナリング（例えば、ダウンリンク制御情報（ＤＣＩ））を通して示される。第４に、少なくとも１つの基準信号リソースが、物理層シグナリングを通して示される。
【００９９】
随意に、本方法はさらに、第１の通信ノードが、第２の通信ノードに関する少なくとも１つの基準信号リソースセットを構成することを含み、基準信号リソースセットは、少なくとも１つの基準信号リソースを含む。基準信号セットは、基準信号リソースセットインデックスによって示され、基準信号リソースは、基準信号リソースインデックスによって示される。
【０１００】
図２を参照すると、電力制御方法がさらに、本願の実施形態において提供され、下記に説明されるステップを含む。
【０１０１】
ステップ２００において、第２の通信ノードが、構成されるかまたは示される伝送の基準信号を受信する。
【０１０２】
ステップ２０１において、第２の通信ノードは、電力制御パラメータと基準信号情報との間の事前構成された関連付けに従って、伝送の電力制御パラメータを決定する。
【０１０３】
本願の実施形態では、第２の通信ノードは、関連付けに従って、伝送の基準信号に対応する基準信号情報に対応する電力制御パラメータを検索し、見出された電力制御パラメータを伝送の電力制御パラメータと見なす。
【０１０４】
本願の実施形態では、伝送の基準信号は、１つ以上の基準信号リソースを含み、伝送の電力制御パラメータは、以下の様式のうちの少なくとも１つにおいて決定される、すなわち、第１に、各基準信号リソースに対応する伝送の電力制御パラメータが、各基準信号リソースに対応する電力制御パラメータに従って決定され、具体的には、各基準信号リソースに対応する電力制御パラメータが、関連付けに従って検索される。第２に、各基準信号リソースに対応する伝送の層の電力制御パラメータが、各基準信号リソースに対応する電力制御パラメータに従って決定される。具体的には、各基準信号リソースに対応する電力制御パラメータが、関連付けに従って検索される。本明細書における層は、多重入力多重出力（ＭＩＭＯ）システムの空間層を指す。第３に、各基準信号リソースに対応する電力制御パラメータが、決定され、１つの一連の電力制御パラメータが、所定のルールまたは構成されたルールに従って、伝送の電力制御パラメータとして決定される。所定のルールまたは構成されたルールは、平均化、電力最大化基準、または電力最小化基準のうちの少なくとも１つを含む。具体的実装に関して、第１の実施形態が、参照されてもよく、本明細書に詳細に説明されないであろう。第４に、各基準信号リソースに対応する電力制御パラメータが、決定され、各グループに対応する電力制御パラメータが、基準信号リソースグループに従って決定される。各グループに対応する電力制御パラメータは、各グループに対応する伝送の電力制御パラメータである。１つの一連の電力制御パラメータが、所定のルールまたは構成されたルールに従って、基準信号ソースに対応する電力制御パラメータによるグループに対応する電力制御パラメータとして決定される。
【０１０５】
本願の実施形態では、伝送の電力制御パラメータを決定するステップは、基準信号リソースが位置する組み合わせに対応する電力制御パラメータが決定される、すなわち、基準信号リソースが位置する組み合わせに対応する電力制御パラメータが関連付けに従って検索されることを含む。
【０１０６】
代替として、基準信号リソースが位置するセットに対応する電力制御パラメータが、決定され、すなわち、基準信号リソースが位置するセットに対応する電力制御パラメータが、関連付けに従って検索される。
【０１０７】
代替として、伝送の伝送スキームに対応する基準信号リソースセットに対応する電力制御パラメータが、決定され、すなわち、基準信号リソースに対応する伝送スキームに対応する電力制御パラメータが、関連付けに従って検索される。
【０１０８】
代替として、基準信号リソースが位置するグループに対応する電力制御パラメータが、決定され、すなわち、基準信号リソースが位置するグループに対応する電力制御パラメータが、関連付けに従って検索される。
【０１０９】
随意に、本方法はさらに、第２の通信ノードが、構成された関連付けを受信し、保存することを含む。
【０１１０】
本願の実施形態では、第１の通信ノードまたは第２の通信ノードは、基地局、ＵＥ、ＮｏｄｅＢ（ＮＢ）、ｇ−ＮｏｄｅＢ（ｇＮＢ）、伝送−受信ポイント（ＴＲＰ）、アクセスポイント（ＡＰ）、ステーション（ＳＴＡ）、ユーザ機器、中継ノード、端末、および同等物のうちのいずれか１つであってもよい。
【０１１１】
図３を参照すると、電力制御方法がさらに、本願の実施形態において提供され、下記に説明されるステップを含む。
【０１１２】
ステップ３００において、第１の通信ノードが、第２の通信ノードに関する少なくとも１つの一連の電力制御パラメータを構成する。
【０１１３】
本願の実施形態では、第１の通信ノードは、電力制御パラメータ識別子と電力制御パラメータとの間のマッピング関係を構成することによって、電力制御パラメータを構成してもよい。
【０１１４】
本願の実施形態では、第１の通信ノードは、ＲＲＣシグナリングを通して第２の通信ノードに関する少なくとも２つの一連の電力制御パラメータを構成してもよい。
【０１１５】
ステップ３０１において、第１の通信ノードは、ＭＡＣ  ＣＥシグナリングを通して少なくとも１つの一連の電力制御パラメータの中から１つの一連の電力制御パラメータを示し、したがって、第２の通信ノードは、ＭＡＣ  ＣＥシグナリングを通して示された電力制御パラメータに従って、電力制御を実施する。
【０１１６】
本願の実施形態では、ＭＡＣ  ＣＥシグナリングにおいて示される電力制御パラメータは、電力制御パラメータ識別子を使用することによって表されてもよい。
【０１１７】
本願の実施形態では、ＭＡＣ  ＣＥシグナリングにおいて示される少なくとも２つの一連の電力制御パラメータの中から１つの一連の電力制御パラメータが、任意のビームリソースまたは空間的関係または基準信号リソースを使用することによって、伝送の電力制御パラメータを送信するために第２の通信ノードのために使用される。
【０１１８】
本願の実施形態では、電力制御パラメータは、上層シグナリングのオーバーヘッドが低減され、伝送遅延が低減され、柔軟性が改良されるように、ＭＡＣ  ＣＥシグナリングを通して示される。
【０１１９】
図４を参照すると、電力制御方法が、本願において提供され、下記に説明されるステップを含む。
【０１２０】
ステップ４００において、第１の通信ノードが、第２の通信ノードに関する電力制御パラメータセットを構成する。
【０１２１】
本願の実施形態では、第１の通信ノードは、電力制御パラメータ識別子と電力制御パラメータとの間のマッピング関係を構成することによって、電力制御パラメータセットを構成してもよい。
【０１２２】
本願の実施形態では、電力制御パラメータセットは、少なくとも２つの一連の電力制御パラメータを含む。
【０１２３】
本願の実施形態では、第１の通信ノードは、ＲＲＣシグナリングを通して第２の通信ノードに関する電力制御パラメータセットを構成してもよい。
【０１２４】
ステップ４０１において、第１の通信ノードは、ＭＡＣ  ＣＥシグナリングを通して電力制御パラメータセットにおける少なくとも１つの一連の電力制御パラメータを示し、したがって、第２の通信ノードは、ＭＡＣ  ＣＥシグナリングを通して示された電力制御パラメータに従って、電力制御を実施する。
【０１２５】
本願の実施形態では、ＭＡＣ  ＣＥシグナリングにおいて示される電力制御パラメータは、電力制御パラメータ識別子を使用することによって表されてもよい。
【０１２６】
本願の実施形態では、媒体アクセス制御制御要素シグナリングによって示される電力制御パラメータセットにおける少なくとも１つの一連の電力制御パラメータは、第２の通信ノードに関する伝送の少なくとも１つの基準信号との暗示的関連付けを有し、すなわち、ＭＡＣ  ＣＥシグナリングによって示される電力制御パラメータは、少なくとも１つの基準信号リソースと１対１対応にある。このように、第２の通信ノードは、伝送を送信するための少なくとも１つの基準信号リソースに対応する電力制御パラメータを使用することによって電力制御を実施する。
【０１２７】
本願の実施形態では、電力制御パラメータは、上層シグナリングのオーバーヘッドが低減され、伝送遅延が低減され、柔軟性が改良されるように、ＭＡＣ  ＣＥシグナリングを通して示される。
【０１２８】
本願において提供される電力制御方法の具体的実装が、実施例として、ＳＲＳリソースをビームリソースまたは空間的関係または基準信号リソースと見なすことによって、下記に詳細に説明される。
【０１２９】
ＮＲのＳＲＳは、ビーム管理、アップリンクチャネル状態情報入手（ＵＬ  ＣＳＩ入手）、およびダウンリンクチャネル状態情報入手（ＤＬ  ＣＳＩ入手）等の異なる機能をサポートする。
【０１３０】
第１の通信ノード（例えば、基地局）は、第２の通信ノード（例えば、ＵＥ）に関する少なくとも１つのＳＲＳリソースセットを構成し、各ＳＲＳリソースセットは、少なくとも１つのＳＲＳリソースを含む。ＳＲＳリソースセットは、ＳＲＳリソースセット識別子によって表され、ＳＲＳリソースは、ＳＲＳリソース識別子によって表される。
【０１３１】
各ＳＲＳリソースは、時間領域、周波数領域、コード領域、および他のパラメータを含む、ＳＲＳによって占有されるリソースを示す。ＳＲＳリソースセットは、ＳＲＳリソースが周期的、非周期的、または半永続的であり得ることを示す。異なるＳＲＳリソースセットが、異なる様式でスケジューリングされてもよい。例えば、周期的様式に関して、単に、ＲＲＣシグナリングが、構成のために要求され、第２の通信ノード（例えば、ＵＥ）は、対応する位置（例えば、時間周波数領域）においてＳＲＳを送信する。半永続的様式に関して、ＲＲＣシグナリングが、構成のために要求され、ＭＡＣ  ＣＥシグナリングが、アクティブ化のために使用され、第２の通信ノード（例えば、ＵＥ）は、アクティブ化されたＳＲＳリソースセットによって示された位置においてＳＲＳを送信する必要がある。非周期的様式に関して、ＲＲＣシグナリングが、構成のために要求され、物理層シグナリングが、指定された位置においてＳＲＳを送信するように第２の通信ノード（ＵＥ）をトリガする。非周期的様式に関して、ＭＡＣ  ＣＥシグナリングはさらに、物理層トリガシグナリングを通してＳＲＳリソースセットのインジケーションオーバーヘッドを低減させるために、ＲＲＣシグナリングを通して構成されたＳＲＳリソースセットの一部をアクティブ化するように要求されてもよい。
【０１３２】
実施形態１
本実施形態では、第１の通信ノードが、電力制御パラメータと単一のＳＲＳリソースとの間の関連付けを構成する。図５を参照すると、本方法は、下記に説明されるステップを含む。
【０１３３】
ステップ５００において、第１の通信ノードは、電力制御パラメータと単一のＳＲＳリソースとの間の関連付けを構成する。
【０１３４】
本実施形態では、関連付けは、下記に説明される任意のタイプを含む。
【０１３５】
第１の関連付けタイプに関して、ＳＲＳリソースのうちのいくつかまたは全てのそれぞれと電力制御パラメータとの間の関連付けが、構成される。
【０１３６】
例えば、基地局が、最初に、ＵＥに関する３つのＳＲＳリソースセットを構成し、ＳＲＳリソースセット１は、ビーム管理に関する８つのＳＲＳリソースを含み、ＳＲＳリソースセット２は、コードブックベースの伝送に関する２つのＳＲＳリソースを含み、ＳＲＳリソースセット３は、非コードブックベースの伝送に関する４つのＳＲＳリソースを含む。基地局は、次いで、ＳＲＳリソースセット２における２つのＳＲＳリソースのそれぞれと電力制御パラメータとの間の関連付け、およびＳＲＳリソースセット３における４つのＳＲＳリソースのそれぞれと電力制御パラメータとの間の関連付けを構成する。
【０１３７】
上記に説明されるＳＲＳリソースは、ＳＲＳリソース情報（ＳＲＳリソースインジケーションとも称される）（ＳＲＩ）を使用することによって示されてもよい。ＳＲＩは、以下の様式のうちのいずれかにおいて示されてもよい。
【０１３８】
第１のインジケーション様式に関して、ＳＲＳリソースセット識別子（ＩＤ）およびローカルＳＲＳリソース識別子が、合同インジケーションのために使用される。ローカルＳＲＳリソース識別子は、ＳＲＳリソースセットにおけるＳＲＳリソースのインデックスを指す。
【０１３９】
例えば、基地局は、ＵＥに関する以下の関連付けを構成する。
ＳＲＩ１（ＳＲＳリソースセット識別子１、ローカルＳＲＳリソース識別子１）：ｊ１，ｋ１，ｌ１；
ＳＲＩ１（ＳＲＳリソースセット識別子２、ローカルＳＲＳリソース識別子２）：ｊ２，ｋ２，ｌ１；
ＳＲＩ３（ＳＲＳリソースセット識別子３、ローカルＳＲＳリソース識別子１）：ｊ３，ｋ３，ｌ２；
．．．
【０１４０】
第２のインジケーション様式に関して、グローバルＳＲＳリソース識別子が、インジケーションのために使用される。グローバルＳＲＳリソース識別子は、ＵＥのために構成される全てのＳＲＳリソースのインデックスまたはＵＥの具体的範囲のために構成される全てのＳＲＳリソースのインデックスである。具体的範囲は、具体的サービングセル、具体的帯域幅部分（ＢＷＰ）、または具体的キャリアのうちの少なくとも１つを含む。
【０１４１】
例えば、基地局は、ＵＥに関する以下の関連付けを構成する。
ＳＲＩ１（グローバルＳＲＳリソース識別子１）：ｊ１，ｋ１，ｌ１；
ＳＲＩ１（グローバルＳＲＳリソース識別子１）：ｊ２，ｋ２，ｌ１；
．．．
【０１４２】
第２の関連付けタイプに関して、プリセットタイプのＳＲＳリソースセットにおける各ＳＲＳリソースと電力制御パラメータとの間の関連付けが、構成される。
【０１４３】
プリセットタイプは、コードブックベースの伝送スキームおよび非コードブックベースの伝送スキームを含む、伝送タイプを指し得る。
【０１４４】
伝送タイプがコードブックベースの伝送スキームであるとき、コードブックベースの伝送のために使用されるＳＲＳリソースセットにおける各ＳＲＳリソースと電力制御パラメータとの間の関連付けが、構成される。
【０１４５】
伝送タイプが非コードブックベースの伝送スキームであるとき、非コードブックベースの伝送のために使用されるＳＲＳリソースセットにおける各ＳＲＳリソースと電力制御パラメータとの間の関連付けが、構成される。
【０１４６】
上記に説明されるＳＲＳリソースは、ＳＲＩを使用することによって示されてもよい。ＳＲＩは、プリセットタイプのＳＲＳリソースセットにおけるＳＲＳリソース識別子を使用することによって示されてもよい。
【０１４７】
例えば、基地局は、最初に、ＵＥに関する３つのＳＲＳリソースセットを構成し、ＳＲＳリソースセット１は、ビーム管理に関する８つのＳＲＳリソースを含み、ＳＲＳリソースセット２は、コードブックベースの伝送に関する２つのＳＲＳリソースを含み、ＳＲＳリソースセット３は、非コードブックベースの伝送に関する４つのＳＲＳリソースを含む。
【０１４８】
次いで、伝送タイプがコードブックベースの伝送スキームであるとき、基地局は、ＳＲＳリソースセット２における２つのＳＲＳリソースのそれぞれと電力制御パラメータとの間の関連付けを構成し、伝送タイプが非コードブックベースの伝送スキームであるとき、基地局は、ＳＲＳリソースセット３における４つのＳＲＳリソースのそれぞれと電力制御パラメータとの間の関連付けを構成する。
【０１４９】
上記の関連付けにおけるＳＲＩは、上記に説明されるような明示的様式で、または暗示的様式で示されてもよい。例えば、ＳＲＳリソースと電力制御パラメータとの間の関連付けは、プリセットタイプのＳＲＳリソースセットにおいて構成されるＳＲＳリソースの順序および数に従って構成される。
【０１５０】
上記に説明されるように、ＳＲＳリソースセット２におけるＳＲＳリソースは、コードブックベースの伝送のために使用され、伝送タイプがコードブックベースの伝送スキームであるとき、基地局は、ＳＲＳリソースセット２における２つのＳＲＳリソースのそれぞれと電力制御パラメータとの間の関連付けを構成する。具体的には、以下の２つの関連付け、すなわち、ＳＲＳリソースセット２における２つのＳＲＳリソースに対応する関連付け、すなわち、ｊ１、ｋ１、ｌ１、およびｊ２、ｋ２、ｌ１が、含まれる。
【０１５１】
ＳＲＳリソースセットの伝送タイプの構成は、ＳＲＳリソースセットにおいて示されてもよい、またはＳＲＳリソースセットの使用パラメータと組み合わせて、コードブックベースの伝送スキームまたは非コードブックベースの伝送スキームの伝送構成パラメータの構成から取得されてもよい。例えば、ＳＲＳリソースセットに関する使用パラメータは、ビーム管理、アンテナ選択、コードブックベースの構成、および非コードブックベースの構成として構成されてもよい、またはＳＲＳリソースセットに関する使用パラメータは、ビーム管理、アンテナ選択、およびその他として構成されてもよい。「その他」は、コードブックベースの構成および非コードブックベースの構成の両方を含む。伝送構成パラメータにおけるコードブックベースの構成または非コードブックベースの構成と組み合わせて、ＳＲＳリソースセットが、コードブックベースの構成または非コードブックベースの構成のために使用されると決定されることができる。
【０１５２】
ステップ５０１において、第１の通信ノードは、ＳＲＳリソースを構成するかまたは示す。
【０１５３】
ステップ５０２において、第２の通信ノードが、構成されたかまたは示されたＳＲＳリソースを受信する。
【０１５４】
ステップ５０３において、第２の通信ノードは、関連付けに従って、ＳＲＳリソースに対応する電力制御パラメータを検索する。
【０１５５】
本実施形態では、第２の通信ノードが、少なくとも２つのＳＲＳリソースを使用することによってチャネルまたは信号を送信するとき、ＳＲＳリソースに対応する電力制御パラメータが、以下の様式のうちの少なくとも１つにおいて決定される。
【０１５６】
様式１：少なくとも２つのＳＲＳリソースが、異なる層に属し、各層に属するＳＲＳリソースに対応する電力制御パラメータが、決定される。具体的には、各層に属するＳＲＳリソースに対応する電力制御パラメータが、関連付けに従って検索される。
【０１５７】
様式２：少なくとも２つのＳＲＳリソースに対応する少なくとも２つの一連の電力制御パラメータが、決定され、１つの一連の電力制御パラメータが、所定のルールまたは構成されたルールに従って決定される。具体的には、少なくとも２つのＳＲＳリソースに対応する少なくとも２つの一連の電力制御パラメータが決定されるとき、各ＳＲＳリソースに対応する１つの一連の電力制御パラメータが、関連付けに従って検索される。
【０１５８】
所定のルールまたは構成されたルールは、平均化アルゴリズム、電力最大化基準、または電力最小化基準のうちの少なくとも１つを含む。
【０１５９】
平均化アルゴリズムは、以下の様式のうちの少なくとも１つを含む。
【０１６０】
１つの平均化アルゴリズム様式に関して、少なくとも２つのＳＲＳリソースに対応する閉ループ電力制御プロセスが一貫しているとき、少なくとも２つのＳＲＳリソースが複数のｋに対応する、すなわち、複数のダウンリンクＲＳの構成がＰＬの計算のために使用される場合、複数のダウンリンクＲＳのＰＬの平均値が、ＳＲＳリソース毎にＰＬとして使用され、少なくとも２つのＳＲＳリソースが、複数のｊに、すなわち、複数の標的受信電力および経路損失補償係数に対応する場合、複数の標的受信電力の平均値が、ＳＲＳリソース毎に標的受信電力として使用され、複数の経路損失補償係数の平均値が、経路損失補償係数として使用される。
【０１６１】
別の平均化アルゴリズム様式に関して、少なくとも２つのＳＲＳリソースに対応する閉ループ電力制御プロセスが一貫していないとき、一貫する閉ループ電力制御プロセスを伴うＳＲＳリソースに対応する電力制御パラメータが、平均化され、平均化方法は、上記に説明されるものと同一である。
【０１６２】
電力最大化基準は、以下の様式のうちの少なくとも１つを含む。
【０１６３】
１つの電力最大化基準様式に関して、少なくとも２つのＳＲＳリソースに対応する閉ループ電力制御プロセスが一貫しているとき、少なくとも２つのＳＲＳリソースが複数のｋに対応する、すなわち、複数のダウンリンクＲＳの構成がＰＬの計算のために使用される場合、複数のダウンリンクＲＳのＰＬの最大値が、ＳＲＳリソース毎にＰＬとして使用され、少なくとも２つのＳＲＳリソースが、複数のｊに、すなわち、複数の標的受信電力および経路損失補償係数に対応する場合、複数の標的受信電力の最大値が、ＳＲＳリソース毎に標的受信電力として使用され、複数の経路損失補償係数の最大値が、経路損失補償係数として使用される。
【０１６４】
別の電力最大化基準様式に関して、少なくとも２つのＳＲＳリソースに対応する閉ループ電力制御プロセスが一貫していないとき、電力最大化基準は、一貫する閉ループ電力制御プロセスを伴うＳＲＳリソースに対応する電力制御パラメータのために使用される。
【０１６５】
電力最小化基準は、以下の様式のうちの少なくとも１つを含む。
【０１６６】
１つの電力最小化基準様式に関して、少なくとも２つのＳＲＳリソースに対応する閉ループ電力制御プロセスが一貫しているとき、少なくとも２つのＳＲＳリソースが複数のｋに対応する、すなわち、複数のダウンリンクＲＳの構成がＰＬの計算のために使用される場合、複数のダウンリンクＲＳのＰＬの最小値が、ＳＲＳリソース毎にＰＬとして使用され、少なくとも２つのＳＲＳリソースが、複数のｊに、すなわち、複数の標的受信電力および経路損失補償係数に対応する場合、複数の標的受信電力の最小値が、ＳＲＳリソース毎に標的受信電力として使用され、複数の経路損失補償係数の最小値が、経路損失補償係数として使用される。
【０１６７】
別の電力最小化基準様式に関して、少なくとも２つのＳＲＳリソースに対応する閉ループ電力制御プロセスが一貫していないとき、電力最小化基準は、一貫する閉ループ電力制御プロセスを伴うＳＲＳリソースに対応する電力制御パラメータのために使用される。様式３：少なくとも２つのＳＲＳリソースが異なるグループに属するとき、少なくとも２つのＳＲＳリソースの各グループに対応する電力制御パラメータが、決定される。
【０１６８】
実施形態２
本実施形態では、第１の通信ノードが、電力制御パラメータと少なくとも１つのＳＲＳリソースとの間の関連付けを構成する。図６を参照すると、本方法は、下記に説明されるステップを含む。
【０１６９】
ステップ６００において、第１の通信ノードは、電力制御パラメータと少なくとも２つのＳＲＳリソースとの間の関連付けを構成する。
【０１７０】
本実施形態では、関連付けは、下記に説明される任意のタイプを含む。
【０１７１】
第１のタイプは、ＤＣＩにおいて示されるＳＲＳリソースの全ての可能性として考えられる組み合わせと電力制御パラメータとの間の関連付けについてである。
【０１７２】
例えば、ＳＲＳリソースセット３は、非コードブックベースの伝送に関する４つのＳＲＳリソースを含む。チャネルまたは信号の伝送スキームが非コードブックベースの伝送スキームであるとき、２ビットが、チャネルまたは信号のＤＣＩにおいて等、スケジューリング情報におけるＳＲＳリソース（すなわち、ＳＲＩ）を示すために使用される。
【０１７３】
少なくとも２つのＳＲＳリソースが異なる層に属するとき、少なくとも２つのＳＲＳリソースに対応する電力制御パラメータは、同一の層のＳＲＳリソースが同一の電力制御パラメータに対応すること、または異なる層のＳＲＳリソースが同一の電力制御パラメータに対応することであってもよい。
【０１７４】
異なる層のＳＲＳリソースが同一の電力制御パラメータに対応するとき、１つの一連の電力制御パラメータが、第１の実施形態の様式で、すなわち、あるルールに従って少なくとも２つのＳＲＳリソースに対応する少なくとも２つの一連の電力制御パラメータに従って決定されてもよく、１つの一連の電力制御パラメータはまた、異なるＳＲＩ組み合わせのために構成されてもよい。
【０１７５】
例えば、４つのＳＲＩは、ＳＲＩ１、ＳＲＩ２、ＳＲＩ３、ＳＲＩ４、ＳＲＩ１  ＳＲＩ２、ＳＲＩ１  ＳＲＩ３、ＳＲＩ１  ＳＲＩ４、ＳＲＩ２  ＳＲＩ３、ＳＲＩ２  ＳＲＩ４、ＳＲＩ３  ＳＲＩ４、ＳＲＩ１  ＳＲＩ２  ＳＲＩ３、ＳＲＩ１  ＳＲＩ２  ＳＲＩ４、ＳＲＩ１  ＳＲＩ３  ＳＲＩ４、ＳＲＩ２  ＳＲＩ３  ＳＲＩ４、およびＳＲＩ１  ＳＲＩ２  ＳＲＩ３  ＳＲＩ４である、最大１５個の組み合わせを有する。
【０１７６】
１つの一連の電力制御パラメータは、上記に説明されるＳＲＳリソース組み合わせ毎に構成され、次いで、４ビットが、チャネルまたは信号のＤＣＩ等のスケジューリング情報におけるＳＲＳリソース組み合わせを示すために要求される、またはチャネルまたは信号のＤＣＩ等のスケジューリング情報におけるＳＲＳリソースが、複数の層に関して示され、２ビットが、各ＳＲＳリソースを示すために要求される。
【０１７７】
代替として、上記の４つのＳＲＩは、１５個の組み合わせを有し、これらの１５個の組み合わせの全てまたは一部と電力制御パラメータとの間の関係は、関連付けにおいて構成されてもよい。各組み合わせインデックスによって表される組み合わせ内に含まれるＳＲＩは、事前構成される。
【０１７８】
第２のタイプは、ＳＲＳリソースセットと電力制御パラメータとの間の関連付けについてである。
【０１７９】
ＳＲＳリソースセットにおける任意のＳＲＳリソースがチャネルまたは信号を伝送するために使用されるとき、対応する電力制御パラメータは、同一の一連の｛ｊ，ｋ，ｌ｝において示される電力制御パラメータである。
【０１８０】
例えば、４つのＳＲＳリソースが、非コードブックベースの伝送に関するＳＲＳリソースセットにおいて構成され、ＳＲＳリソースセット上で構成される１つの一連の電力制御パラメータを共有する。
【０１８１】
第３のタイプは、ＳＲＳリソースに対応する伝送スキームと電力制御パラメータとの間の関連付けについてである。
【０１８２】
同一の伝送スキームに対応する任意のＳＲＳリソースがチャネルまたは信号を伝送するために使用されるとき、対応する電力制御パラメータは、同一の一連の｛ｊ，ｋ，ｌ｝において示される電力制御パラメータである。
【０１８３】
伝送スキームは、非コードブックベースの伝送スキームまたはコードブックベースの伝送スキームのうちの少なくとも１つを含む。
【０１８４】
例えば、４つのＳＲＳリソースが、非コードブックベースの伝送に関するＳＲＳリソースセットにおいて構成され、ＳＲＳリソースセット上で構成される１つの一連の電力制御パラメータを共有する。
【０１８５】
第４のタイプは、ＳＲＳリソースがある特性に従ってグループ化されているときのＳＲＳリソースが位置するグループと電力制御パラメータとの間の関連付けについてである。
【０１８６】
上記に説明されるＳＲＳリソースをグループ化する様式は、明示的に構成されるか、または暗示的に構成されるかのいずれかであってもよい。
【０１８７】
例えば、４つのＳＲＳリソースが非コードブックベースの伝送のために使用される場合、最初の２つは、あるグループに属し、次の２つは、あるグループに属し、次いで、グループ化様式は、ＲＲＣシグナリングを通して明示的に示されてもよい。
【０１８８】
別の実施例に関して、ＳＲＳリソースが、位相追跡基準信号（ＰＴＲＳ）構成を通して同一のアンテナパネルに属し、同一のアンテナパネルに属するＳＲＳリソースが、１つのグループに属するかどうかが決定される。
【０１８９】
関連付けの数は、ＳＲＳリソース組み合わせまたはＳＲＳリソースセットまたはＳＲＳリソースまたはＳＲＳリソースグループに対応する伝送スキームと１対１対応にある。
【０１９０】
ステップ６０１において、第１の通信ノードは、ＳＲＳリソースを構成するかまたは示す。
【０１９１】
ステップ６０２において、第２の通信ノードが、構成されたかまたは示されたＳＲＳリソースを受信する。
【０１９２】
ステップ６０３において、第２の通信ノードは、関連付けに従って、ＳＲＳリソースに対応する電力制御パラメータを検索する。
【０１９３】
本実施形態では、第１の通信ノードが、ＤＣＩにおいて示されるＳＲＳリソースの全ての可能性として考えられる組み合わせと電力制御パラメータとの間の関連付けを構成するとき、第２の通信ノードは、関連付けに従って、ＳＲＳリソースの組み合わせに対応する電力制御パラメータを検索する。
【０１９４】
第１の通信ノードがＳＲＳリソースセットと電力制御パラメータとの間の関連付けを構成するとき、第２の通信ノードは、関連付けに従って、ＳＲＳリソースセットに対応する電力制御パラメータを検索する。第１の通信ノードがＳＲＳリソースの伝送スキームと電力制御パラメータとの間の関連付けを構成するとき、第２の通信ノードは、関連付けに従って、ＳＲＳリソースの伝送スキームに対応する電力制御パラメータを検索する。第１の通信ノードが、ＳＲＳリソースが位置するグループと電力制御パラメータとの間の関連付けを構成するとき、第２の通信ノードは、関連付けに従って、ＳＲＳリソースが位置するグループに対応する電力制御パラメータを検索する。
【０１９５】
実施形態３
本実施形態では、第１の通信ノードが、ＭＡＣ  ＣＥシグナリングを通して１つの一連の電力制御パラメータを示す。図７を参照すると、本方法は、下記に説明されるステップを含む。
【０１９６】
ステップ７００において、第１の通信ノードは、第２の通信ノードに関する少なくとも２つの一連の電力制御パラメータを構成する。
【０１９７】
ステップ７０１において、第１の通信ノードは、ＭＡＣ  ＣＥシグナリングを通して少なくとも２つの一連の電力制御パラメータのうちの１つを示す。
【０１９８】
ステップ７０２において、第２の通信ノードは、ＭＡＣ  ＣＥシグナリングを通して示された１つの一連の電力制御パラメータに従って、電力制御を実施する。
【０１９９】
実施形態４
本実施形態では、第１の通信ノードが、ＭＡＣ  ＣＥシグナリングを通して少なくとも１つの一連の電力制御パラメータを示す。図８を参照すると、本方法は、下記に説明されるステップを含む。
【０２００】
ステップ８００において、第１の通信ノードは、第２の通信ノードに関する電力制御パラメータセットを構成する。
【０２０１】
本実施形態では、電力制御パラメータセットは、少なくとも２つの一連の電力制御パラメータを含む。
【０２０２】
ステップ８０１において、第１の通信ノードは、ＭＡＣ  ＣＥシグナリングを通して電力制御パラメータセットにおける少なくとも２つの一連の電力制御パラメータを示す。
【０２０３】
本実施形態では、ＭＡＣ  ＣＥシグナリングを通して示される少なくとも２つの一連の電力制御パラメータは、ＤＣＩにおいて示される少なくとも１つのＳＲＳリソース（ＳＲＳリソース組み合わせ等）と１対１対応にあり、１対１対応は、暗示的関連付けである。
【０２０４】
ステップ８０２において、第２の通信ノードは、ＭＡＣ  ＣＥシグナリングを通して示された少なくとも２つの一連の電力制御パラメータに従って、電力制御を実施する。
【０２０５】
本実施形態では、第２の通信ノードは、ＳＲＳリソースに対応する電力制御パラメータとして、ＭＡＣ  ＣＥシグナリングを通して示された少なくとも２つの一連の電力制御パラメータの中からＳＲＳリソースに対応する電力制御パラメータを決定する。
【０２０６】
本願の実施形態に出現する関連用語が、下記に解説される。
【０２０７】
伝送様式は、送信ビーム、送信ポート、送信リソース、基準信号シーケンス、または送信プリコーディング行列（アナログ、デジタル、またはハイブリッド様式における）のうちの少なくとも１つを含む。
【０２０８】
受信様式は、受信ビーム、受信ポート、受信リソース、基準信号シーケンス、受信プリコーディング行列（アナログ、デジタル、またはハイブリッド様式における）、または受信機アルゴリズムのうちの少なくとも１つを含む。
【０２０９】
ビームは、リソースまたは伝送（送信または受信）様式であってもよい。リソースは、送信側プリコーディング、受信側プリコーディング、アンテナポート、アンテナ加重ベクトル、アンテナ加重行列、および同等物であってもよい。ビームが、伝送に関するいくつかの時間周波数コードリソースに結合され得るため、ビーム番号は、リソースインデックスと置換されてもよい。ビームはまた、伝送（送信または受信）様式であってもよい。伝送スキームは、空間分割多重化、周波数領域／時間領域ダイバーシチ、および同等物を含んでもよい。
【０２１０】
ビームインジケーションは、現在の基準信号およびアンテナポート、および基地局によって走査された、またはＵＥによってフィードバックおよび報告された基準信号（または標準基準信号）およびアンテナポートが、ＱＣＬ仮定を満たすとき、送信側によって実施されるインジケーションを指す。
【０２１１】
受信ビームは、示される必要がない受信側におけるビーム、または現在の基準信号およびアンテナポート、および基地局によって走査される、またはＵＥによってフィードバックおよび報告される基準信号（または標準基準信号）およびアンテナポートのＱＣＬ下で送信側によって示される、受信側におけるビームリソースを指す。
【０２１２】
チャネル特徴は、水平送信方位、垂直送信方位、水平受信方位、および垂直受信方位等の物理的伝搬チャネルの特徴を含み、また、アンテナ要素パターン、アンテナグループ、アンテナパネル、アンテナサブアレイ、送受信機ユニット（ＴＸＲＵ）、受信ビームセット、アンテナ設置、およびベースバンド時間オフセット、周波数オフセット、および位相雑音等の無線周波数およびベースバンド回路の特徴を含む。
【０２１３】
ＱＣＬに関連するパラメータは、少なくとも、ドップラ拡散、ドップラ偏移、遅延拡散、平均遅延、および平均利得を含み、また、到着角、受信ビームの空間的相関、平均遅延、および時間周波数チャネル応答相関（位相情報を含む）等の空間的パラメータ情報を含んでもよい。
【０２１４】
図９を参照すると、第１の通信ノードが、本願の実施形態において提供され、第１の構成モジュールと、第１の送信モジュールとを含む。
【０２１５】
第１の構成モジュールは、電力制御パラメータと基準信号情報との間の関連付けを構成するように構成される。
【０２１６】
第１の送信モジュールは、第２の通信ノードに関する伝送の基準信号を構成するかまたは示すように構成され、したがって、第２の通信ノードは、伝送の基準信号および関連付けに従って、伝送の電力制御パラメータを決定する。
【０２１７】
図１０を参照すると、第２の通信ノードが、本願の実施形態において提供され、受信モジュールと、決定モジュールとを含む。
【０２１８】
受信モジュールは、構成されるかまたは示される伝送の基準信号を受信するように構成される。
【０２１９】
決定モジュールは、電力制御パラメータと基準信号との間の事前構成された関連付けに従って、伝送の電力制御パラメータを決定するように構成される。
【０２２０】
随意に、受信モジュールはさらに、構成された関連付けを受信および保存するように構成される。
【０２２１】
図１１を参照すると、第１の通信ノードがさらに、本願の実施形態において提供され、第２の構成モジュールと、第２の送信モジュールとを含む。
【０２２２】
第２の構成モジュールは、第２の通信ノードに関する少なくとも１つの一連の電力制御パラメータを構成する、または第２の通信ノードに関する電力制御パラメータセットを構成するように構成される。
【０２２３】
第２の送信モジュールは、ＭＡＣ  ＣＥシグナリングを通して少なくとも１つの一連の電力制御パラメータの中から１つの一連の電力制御パラメータを示すように構成され、したがって、第２の通信ノードは、ＭＡＣ  ＣＥシグナリングを通して示された１つの一連の電力制御パラメータに従って、電力制御を実施するか、または、媒体アクセス制御制御要素シグナリングを通して電力制御パラメータセットにおける少なくとも１つの一連の電力制御パラメータを示すように構成され、したがって、第２の通信ノードは、媒体アクセス制御制御要素シグナリングを通して示された少なくとも１つの一連の電力制御パラメータに従って、電力制御を実施する。
【０２２４】
媒体アクセス制御制御要素シグナリングを通して示された電力制御パラメータセットにおける少なくとも１つの一連の電力制御パラメータは、第２の通信ノードに関する伝送の少なくとも１つの基準信号と１対１対応にある。
【０２２５】
電力制御を実施するとき、上記に説明される実施形態において提供される通信ノード（第１の通信ノードおよび／または第２の通信ノードを含む）は、単に、上記に説明されるプログラムモジュールの分割によって例示され、実践的用途では、上記に説明される処理は、必要性に応じて、異なるプログラムモジュールによって分散および実施され得る、すなわち、通信ノードの内部構造は、上記に説明される処理の全てまたは一部を実施するために、異なるプログラムモジュールに分割されることに留意されたい。加えて、上記に説明される実施形態における通信ノードは、方法実施形態における電力制御方法と同一の概念を有し、具体的実装プロセスに関して、方法実施形態が、参照され、これは、本明細書において繰り返されない。
【０２２６】
図１２を参照すると、通信ノードがさらに、本願の実施形態において提供され、プロセッサと、プロセッサ上で実行可能なコンピュータプログラムを記憶するためのメモリとを含み、プロセッサは、コンピュータプログラムが実行されると、第１の通信ノードに適用される電力制御方法または第２の通信ノードに適用される電力制御方法を実施するように構成される。
【０２２７】
コンピュータ可読記憶媒体がさらに、本願の実施形態において提供され、プロセッサによって実行されると、第１の通信ノードに適用される電力制御方法または第２の通信ノードに適用される電力制御方法を遂行するコンピュータプログラムを記憶するように構成される。
【０２２８】
メモリは、任意のタイプの揮発性または不揮発性記憶デバイスまたはそれらの組み合わせによって実装されてもよい。不揮発性メモリは、読取専用メモリ（ＲＯＭ）、プログラマブル読取専用メモリ（ＰＲＯＭ）、消去可能プログラマブル読取専用メモリ（ＥＰＲＯＭ）、電気的消去可能プログラマブル読取専用メモリ（ＥＥＰＲＯＭ）、強磁性ランダムアクセスメモリ（ＦＲＡＭ（登録商標））、フラッシュメモリ、磁気表面メモリ、光学ディスク、またはコンパクトディスク読取専用メモリ（ＣＤ−ＲＯＭ）であってもよい。磁気表面メモリは、磁気ディスクメモリまたは磁気テープメモリであってもよい。揮発性メモリは、外部キャッシュとしての役割を果たす、ランダムアクセスメモリ（ＲＡＭ）であってもよい。限定ではないが、例証として、スタティックランダムアクセスメモリ（ＳＲＡＭ）、同期スタティックランダムアクセスメモリ（ＳＳＲＡＭ）、ダイナミックランダムアクセスメモリ（ＤＲＡＭ）、同期ダイナミックランダムアクセスメモリ（ＳＤＲＡＭ）、ダブルデータレート同期ダイナミックランダムアクセスメモリ（ＤＤＲＳＤＲＡＭ）、拡張同期ダイナミックランダムアクセスメモリ（ＥＳＤＲＡＭ）、ｓｙｎｃＬｉｎｋダイナミックランダムアクセスメモリ（ＳＬＤＲＡＭ）、およびダイレクトランバスランダムアクセスメモリ（ＤＲＲＡＭ）等の多くの形態のＲＡＭが、使用されてもよい。本発明の実施形態において説明されるメモリは、限定ではないが、これらおよび任意の他の好適なタイプのメモリを含むことを意図している。
【０２２９】
本願の実施形態によって開示される方法は、プロセッサに適用されてもよい、またはプロセッサによって遂行されてもよい。プロセッサは、信号処理能力を伴う集積回路チップであってもよい。遂行プロセスでは、上記に説明される方法の種々のステップは、ハードウェアの集積論理回路またはプロセッサ内のソフトウェア命令によって実施されてもよい。上記に説明されるプロセッサは、汎用プロセッサ、デジタル信号プロセッサ（ＤＳＰ）、または別のプログラマブル論理デバイス、別の離散ゲートまたはトランジスタ論理デバイス、別の離散ハードウェアコンポーネント、または同等物であってもよい。プロセッサは、本発明の実施形態において開示される種々の方法、ステップ、および論理ブロック図を遂行または実行してもよい。汎用プロセッサは、マイクロプロセッサまたは任意の従来のプロセッサであってもよい。本発明の実施形態によって開示される方法のステップは、ハードウェアデコーディングプロセッサによって直接遂行されてもよい、またはデコーディングプロセッサ内のハードウェアおよびソフトウェアモジュールの組み合わせによって遂行されてもよい。ソフトウェアモジュールは、メモリ内に位置する記憶媒体内に位置してもよい。プロセッサは、メモリ内の情報を読み取り、プロセッサのハードウェアと組み合わせて上記に説明される方法のステップを遂行する。
【０２３０】
本願の実施形態において提供される通信ノードはまた、マッピング関係、関連付け、スケジューリング情報等の情報を送信または受信するための通信モジュールを含み得ることが理解されることができる。
【０２３１】
本願によって開示される実施形態は、上記に説明される通りであるが、その内容は、本願の理解を促進するための実施形態にすぎず、本願を限定することを意図していない。本願が関連する当業者は、本願によって開示される精神および範囲から逸脱することなく、実装形態および詳細における任意の修正および変形を行ってもよく、本願の特許保護範囲は、依然として、添付される請求項によって定義される範囲に従う。
【図１】
2021510479.tif 000016
【図２】
2021510479.tif 000017
【図３】
2021510479.tif 000018
【図４】
2021510479.tif 000019
【図５】
2021510479.tif 000020
【図６】
2021510479.tif 000021
【図７】
2021510479.tif 000022
【図８】
2021510479.tif 000023
【図９】
2021510479.tif 000024
【図１０】
2021510479.tif 000025
【図１１】
2021510479.tif 000026
【図１２】
2021510479.tif 000027
【手続補正書】
【提出日】令和2年10月23日(2020.10.23)
【手続補正１】
【補正対象書類名】特許請求の範囲
【補正対象項目名】全文
【補正方法】変更
【補正の内容】
【特許請求の範囲】
【請求項１】
電力制御方法であって、
第１の通信ノードによって、電力制御パラメータと基準信号情報との間の関連付けを構成することと、
前記第１の通信ノードによって、複数の基準信号リソースを含む基準信号リソースセットを構成することと、
前記第１の通信ノードによって、伝送の基準信号を示すインジケーションを第２の通信ノードに送信することと
を含み、
前記基準信号および前記関連付けは、前記伝送の電力制御パラメータを決定するために、前記第２の通信ノードによって使用され、
コードブックベースの伝送に対して、前記関連付けは、前記電力制御パラメータと、前記複数の基準信号リソースの全ての可能性として考えられる組み合わせのそれぞれとの間のものである、方法。
【請求項２】
非コードブックベースの伝送に対して、前記関連付けは、前記電力制御パラメータと、前記複数の基準信号リソースの可能性として考えられる組み合わせのうちの少なくとも一部のそれぞれとの間のものである、請求項１に記載の方法。
【請求項３】
前記基準信号は、前記伝送のプリコーディング行列を決定するために構成される、請求項１に記載の方法。
【請求項４】
前記基準信号情報は、少なくとも１つの基準信号リソースインデックス、または少なくとも１つの基準信号リソース組み合わせインデックスのうちの少なくとも１つを含む、請求項１に記載の方法。
【請求項５】
電力制御方法であって、
第２の通信ノードによって、第１の無線通信ノードから、電力制御パラメータと基準信号情報との間の関連付けを受信することと、
第２の通信ノードによって、前記第１の通信ノードから、示される伝送の基準信号を受信することと、
前記第２の通信ノードによって、前記示された基準信号および前記関連付けに従って前記伝送の電力制御パラメータを決定することと
を含み、
コードブックベースの伝送に対して、前記関連付けは、前記電力制御パラメータと、複数の基準信号リソースの全ての可能性として考えられる組み合わせのそれぞれとの間のものである、方法。
【請求項６】
非コードブックベースの伝送に対して、前記関連付けは、前記電力制御パラメータと、基準信号リソースセット内において前記第１の通信ノードによって構成される複数の基準信号リソースの可能性として考えられる組み合わせのうちの少なくとも一部のそれぞれとの間のものである、請求項５に記載の方法。
【請求項７】
前記基準信号は、前記伝送のプリコーディング行列を決定するために構成される、請求項５に記載の方法。
【請求項８】
前記電力制御パラメータは、少なくとも１つの開ループ電力制御パラメータセット、少なくとも１つの経路損失測定パラメータセット、少なくとも１つの閉ループ電力制御プロセスパラメータ、または閉ループ電力制御プロセスインデックスのうちの少なくとも１つを含み、前記少なくとも１つの開ループ電力制御パラメータセットは、標的受信電力、または経路損失係数のうちの少なくとも１つを含み、前記少なくとも１つの経路損失測定パラメータセットは、経路損失測定に関する基準信号リソースインジケーションを含み、前記少なくとも１つの閉ループ電力制御プロセスパラメータは、閉ループ電力制御プロセスの数を含む、請求項５に記載の方法。
【請求項９】
前記基準信号情報は、少なくとも１つの基準信号リソースインデックス、または少なくとも１つの基準信号リソース組み合わせインデックスのうちの少なくとも１つを含む、請求項５に記載の方法。
【請求項１０】
前記関連付けは、少なくとも１つの関連付け関係コンポーネントを含み、前記少なくとも１つの関連付け関係コンポーネントのそれぞれは、開ループ電力制御パラメータセットインデックス、経路損失測定パラメータセットインデックス、または閉ループ電力制御プロセスインデックスのうちの少なくとも１つを含む、請求項５に記載の方法。
【請求項１１】
第１の通信ノードであって、
プロセッサと、
前記プロセッサ上で実行可能なコンピュータプログラムを記憶するように構成されたメモリと
を備え、
前記コンピュータプログラムが実行されると、前記プロセッサは、
電力制御パラメータと基準信号情報との間の関連付けを構成することと、
複数の基準信号リソースを含む基準信号リソースセットを構成することと、
伝送の基準信号を示すインジケーションを第２の通信ノードに送信することと
を行うように構成され、
前記基準信号および前記関連付けは、前記伝送の電力制御パラメータを決定するために、前記第２の通信ノードによって使用され、
コードブックベースの伝送に対して、前記関連付けは、前記電力制御パラメータと、前記複数の基準信号リソースの全ての可能性として考えられる組み合わせのそれぞれとの間のものである、第１の通信ノード。
【請求項１２】
非コードブックベースの伝送に対して、前記関連付けは、前記電力制御パラメータと、前記複数の基準信号リソースの可能性として考えられる組み合わせのうちの少なくとも一部のそれぞれとの間のものである、請求項１１に記載の第１の通信ノード。
【請求項１３】
前記基準信号は、前記伝送のプリコーディング行列を決定するために構成される、請求項１１に記載の第１の通信ノード。
【請求項１４】
第２の通信ノードであって、
プロセッサと、
前記プロセッサ上で実行可能なコンピュータプログラムを記憶するように構成されたメモリと
を備え、
前記コンピュータプログラムが実行されると、前記プロセッサは、
前記第１の無線通信ノードから、示される伝送の基準信号を受信することと、
前記示された基準信号、および電力制御パラメータと基準信号情報との関連付けに従って前記伝送の電力制御パラメータを決定することと
を行うように構成され、
コードブックベースの伝送に対して、前記関連付けは、前記電力制御パラメータと、複数の基準信号リソースの全ての可能性として考えられる組み合わせのそれぞれとの間のものである、第２の通信ノード。
【請求項１５】
非コードブックベースの伝送に対して、前記関連付けは、前記電力制御パラメータと、基準信号リソースセット内において前記第１の通信ノードによって構成される複数の基準信号リソースの可能性として考えられる組み合わせのうちの少なくとも一部のそれぞれとの間のものである、請求項１４に記載の第２の通信ノード。
【請求項１６】
前記基準信号情報は、少なくとも１つの基準信号リソースインデックス、または少なくとも１つの基準信号リソース組み合わせインデックスのうちの少なくとも１つを含む、請求項１４に記載の第２の通信ノード。
【請求項１７】
前記基準信号は、前記伝送のプリコーディング行列を決定するために構成される、請求項１４に記載の第２の通信ノード。
【手続補正２】
【補正対象書類名】明細書
【補正対象項目名】００４９
【補正方法】変更
【補正の内容】
【００４９】
本願の他の特徴および利点が、以降で説明において詳述され、さらに、部分的に説明から明白となる、または本願の実装を通して理解されるであろう。本願の目的および他の利点が、説明、請求項、および図面に記載される構造を通して達成および取得されることができる。
本願明細書は、例えば、以下の項目も提供する。
（項目１）
電力制御方法であって、
第１の通信ノードによって、電力制御パラメータと基準信号情報との間の関連付けを構成することと、
前記第１の通信ノードによって、第２の通信ノードに関する伝送の基準信号を構成するかまたは示すことであって、これにより、前記第２の通信ノードは、前記伝送の基準信号および前記関連付けに従って、前記伝送の電力制御パラメータを決定する、ことと
を含む、電力制御方法。
（項目２）
前記伝送の基準信号は、前記伝送の伝送様式を決定するために構成される、項目１に記載の電力制御方法。
（項目３）
前記電力制御パラメータは、少なくとも１つの開ループ電力制御パラメータセットまたは開ループ電力制御パラメータセットインデックス、少なくとも１つの経路損失測定パラメータセットまたは経路損失測定パラメータセットインデックス、または少なくとも１つの閉ループ電力制御プロセスパラメータまたは閉ループ電力制御プロセスインデックスのうちの少なくとも１つを含み、
前記基準信号情報は、少なくとも１つの基準信号または基準信号インデックス、少なくとも１つの基準信号リソースまたは基準信号リソースインデックス、少なくとも１つの空間的関係情報または空間的関係情報インデックス、少なくとも１つの基準信号リソースグループまたは基準信号リソースグループインデックス、または少なくとも１つの基準信号リソース組み合わせまたは基準信号リソース組み合わせインデックスのうちの少なくとも１つを含む、項目１に記載の電力制御方法。
（項目４）
前記少なくとも１つの開ループ電力制御パラメータセットはそれぞれ、標的受信電力または経路損失係数のうちの少なくとも１つを含む、または、
前記少なくとも１つの経路損失測定パラメータセットはそれぞれ、経路損失測定に関する基準信号リソースタイプインジケーション、前記経路損失測定に関する基準信号リソースインジケーション、または前記経路損失測定に関する２つ以上の基準信号の経路損失値を処理するためのルールのうちの少なくとも１つを含む、または、
前記少なくとも１つの閉ループ電力制御プロセスパラメータはそれぞれ、閉ループ電力制御プロセス識別子セットまたは閉ループ電力制御プロセスの数のうちの少なくとも１つを含む、項目３に記載の電力制御方法。
（項目５）
前記基準信号情報によって示される前記少なくとも１つの基準信号および前記少なくとも１つの空間的関係情報によって示される基準信号および前記伝送の基準信号は、同一のタイプの基準信号または同一の空間的関係に属する基準信号である、項目３に記載の電力制御方法。
（項目６）
前記第１の通信ノードによって、前記第２の通信ノードに関する少なくとも１つの基準信号リソースセットを構成することであって、前記少なくとも１つの基準信号リソースセットはそれぞれ、少なくとも１つの基準信号リソースを含む、こと
をさらに含む、項目１または３に記載の電力制御方法。
（項目７）
前記電力制御パラメータと前記基準信号情報との間の関連付けは、
前記電力制御パラメータと前記少なくとも１つの基準信号リソースセットの一部または全てのうちの個別のものにおける各基準信号リソースとの間の関連付け、または、
前記電力制御パラメータと具体的タイプの基準信号リソースセットにおける各基準信号リソースとの間の関連付け
を含む、項目６に記載の電力制御方法。
（項目８）
前記電力制御パラメータと前記基準信号情報との間の関連付けは、
前記電力制御パラメータと前記少なくとも１つの基準信号リソースセットのうちの１つにおける基準信号リソースの全ての可能性として考えられる組み合わせのそれぞれとの間の関連付け、または、
前記電力制御パラメータと前記少なくとも１つの基準信号リソースセットのうちの１つにおける前記基準信号リソースの部分的な可能性として考えられる組み合わせのそれぞれとの間の関連付け、または、
前記電力制御パラメータと前記少なくとも１つの基準信号リソースセットのうちの１つとの間の関連付け、または、
前記電力制御パラメータと具体的タイプの基準信号リソースセットとの間の関連付け、または、
前記電力制御パラメータと前記少なくとも１つの基準信号リソースグループのそれぞれとの間の関連付け
を含む、項目６に記載の電力制御方法。
（項目９）
前記少なくとも１つの基準信号リソースグループはそれぞれ、以下の様式のうちの１つ、すなわち、
前記第１の通信ノードによって、前記少なくとも１つの基準信号リソースグループのそれぞれに含まれる基準信号リソースを構成するかまたは示すこと、または、
同一のアンテナパネルに属する基準信号リソースを同一のグループに属させること
において決定される、項目８に記載の電力制御方法。
（項目１０）
前記具体的タイプは、コードブックベースの伝送スキームまたは非コードブックベースの伝送スキームのうちの１つを含む、項目７または８に記載の電力制御方法。
（項目１１）
前記関連付けは、少なくとも１つの関連付け関係コンポーネントを含み、前記少なくとも１つの関連付け関係コンポーネントはそれぞれ、開ループ電力制御パラメータセットインデックス、経路損失測定パラメータセットインデックス、または閉ループ電力制御プロセスインデックスのうちの少なくとも１つを含む、項目１に記載の電力制御方法。
（項目１２）
前記少なくとも１つの関連付け関係コンポーネントはそれぞれ、さらに、基準信号インデックス、基準信号リソースインデックス、空間的関係情報インデックス、基準信号リソースグループインデックス、または基準信号リソース組み合わせインデックスのうちの１つを含む、項目１１に記載の電力制御方法。
（項目１３）
前記少なくとも１つの関連付け関係コンポーネントはそれぞれ、基準信号、基準信号リソース、空間的関係情報、基準信号リソースグループ、または基準信号リソース組み合わせのうちの１つに対応する、項目１１に記載の電力制御方法。
（項目１４）
前記伝送の基準信号は、以下の様式において示される、すなわち、
前記少なくとも１つの基準信号リソースは、無線リソース制御シグナリングを通して示される、または、
前記少なくとも１つの基準信号リソースは、媒体アクセス制御制御要素シグナリングを通して示される、または、
前記少なくとも１つの基準信号リソースのサブセットが、前記媒体アクセス制御制御要素シグナリングを通して示され、前記サブセット内の少なくとも１つの基準信号リソースは、物理層シグナリングを通して示される、または、
前記少なくとも１つの基準信号リソースは、前記物理層シグナリングを通して示される、項目１または３または６に記載の電力制御方法。
（項目１５）
電力制御方法であって、
第２の通信ノードによって、構成されるかまたは示される伝送の基準信号を受信することと、
前記第２の通信ノードによって、電力制御パラメータと基準信号情報との間の事前構成された関連付けに従って、前記伝送の電力制御パラメータを決定することと
を含む、電力制御方法。
（項目１６）
前記第２の通信ノードによって、前記構成された関連付けを受信することをさらに含む、項目１５に記載の電力制御方法。
（項目１７）
前記伝送の基準信号は、１つ以上の基準信号リソースを含み、
前記伝送の電力制御パラメータを決定することは、
前記１つ以上の基準信号リソースのそれぞれに対応する電力制御パラメータに従って、前記１つ以上の基準信号リソースのそれぞれに対応する前記伝送の電力制御パラメータを決定すること、または、
前記１つ以上の基準信号リソースのそれぞれに対応する前記電力制御パラメータに従って、前記１つ以上の基準信号リソースのそれぞれに対応する前記伝送の層の電力制御パラメータを決定すること、または、
前記１つ以上の基準信号リソースのそれぞれに対応する前記電力制御パラメータを決定し、所定のルールまたは構成されたルールに従って、前記伝送の電力制御パラメータとして１つの一連の電力制御パラメータを決定すること、または、
前記１つ以上の基準信号リソースのそれぞれに対応する前記電力制御パラメータを決定し、基準信号リソースグループに従って、前記基準信号リソースグループのそれぞれに対応する電力制御パラメータを決定すること
を含む、項目１５または１６に記載の電力制御方法。
（項目１８）
前記所定のルールまたは前記構成されたルールは、平均化、電力最大化基準、または電力最小化基準のうちの少なくとも１つを含む、項目１７に記載の電力制御方法。
（項目１９）
前記伝送の電力制御パラメータを決定することは、
基準信号リソースが位置する組み合わせに対応する電力制御パラメータを決定すること、または、
前記基準信号リソースが位置するセットに対応する電力制御パラメータを決定すること、または、
前記伝送の伝送スキームに対応する基準信号リソースセットに対応する電力制御パラメータを決定すること、または、
前記基準信号リソースが位置するグループに対応する電力制御パラメータを決定すること
を含む、項目１５または１６に記載の電力制御方法。
（項目２０）
電力制御方法であって、
第１の通信ノードによって、第２の通信ノードに関する少なくとも１つの一連の電力制御パラメータを構成し、前記第１の通信ノードによって、媒体アクセス制御制御要素シグナリングを通して前記少なくとも１つの一連の電力制御パラメータのうちの１つを示すことであって、これにより、前記第２の通信ノードは、前記媒体アクセス制御制御要素シグナリングを通して示された前記少なくとも１つの一連の電力制御パラメータのうちの１つに従って、電力制御を実施する、こと、または、
前記第１の通信ノードによって、前記第２の通信ノードに関する電力制御パラメータセットを構成し、前記第１の通信ノードによって、前記媒体アクセス制御制御要素シグナリングを通して前記電力制御パラメータセットにおける少なくとも１つの一連の電力制御パラメータを示すことであって、これにより、前記第２の通信ノードは、前記媒体アクセス制御制御要素シグナリングを通して示された前記少なくとも１つの一連の電力制御パラメータに従って、前記電力制御を実施し、前記媒体アクセス制御制御要素シグナリングを通して示された前記電力制御パラメータセットにおける前記少なくとも１つの一連の電力制御パラメータは、前記第２の通信ノードに関する伝送の少なくとも１つの基準信号と１対１対応にある、こと
を含む、電力制御方法。
（項目２１）
第１の通信ノードであって、
電力制御パラメータと基準信号情報との間の関連付けを構成するように構成される第１の構成モジュールと、
第２の通信ノードに関する伝送の基準信号を構成するかまたは示すように構成される第１の送信モジュールであって、これにより、前記第２の通信ノードは、前記伝送の基準信号および前記関連付けに従って、前記伝送の電力制御パラメータを決定する、第１の送信モジュールと
を備える、第１の通信ノード。
（項目２２）
第２の通信ノードであって、
受信モジュールであって、前記受信モジュールは、構成されるかまたは示される伝送の基準信号を受信するように構成される、受信モジュールと、
決定モジュールであって、前記決定モジュールは、電力制御パラメータと基準信号との間の事前構成された関連付けに従って、前記伝送の電力制御パラメータを決定するように構成される、決定モジュールと
を備える、第２の通信ノード。
（項目２３）
前記受信モジュールはさらに、前記構成された関連付けを受信および保存するように構成される、項目２２に記載の第２の通信ノード。
（項目２４）
第１の通信ノードであって、
第２の構成モジュールであって、前記第２の構成モジュールは、第２の通信ノードに関する少なくとも１つの一連の電力制御パラメータを構成するかまたは前記第２の通信ノードに関する電力制御パラメータセットを構成するように構成される、第２の構成モジュールと、
第２の送信モジュールであって、前記第２の送信モジュールは、媒体アクセス制御制御要素シグナリングを通して前記少なくとも１つの一連の電力制御パラメータのうちの１つを示すように構成され、したがって、前記第２の通信ノードは、前記媒体アクセス制御制御要素シグナリングを通して示された１つの一連の電力制御パラメータに従って、電力制御を実施するか、または、前記媒体アクセス制御制御要素シグナリングを通して前記電力制御パラメータセットにおける少なくとも１つの一連の電力制御パラメータを示すように構成され、したがって、前記第２の通信ノードは、前記媒体アクセス制御制御要素シグナリングを通して示された前記少なくとも１つの一連の電力制御パラメータに従って、前記電力制御を実施する、第２の送信モジュールと
を備え、
前記媒体アクセス制御制御要素シグナリングを通して示された前記電力制御パラメータセットにおける前記少なくとも１つの一連の電力制御パラメータは、前記第２の通信ノードに関する伝送の少なくとも１つの基準信号と１対１対応にある、第１の通信ノード。
（項目２５）
通信ノードであって、前記通信ノードは、プロセッサと、前記プロセッサ上で実行可能なコンピュータプログラムを記憶するように構成されるメモリとを備え、
前記プロセッサは、前記コンピュータプログラムが実行されると、項目１−１４のいずれか１項に記載の電力制御方法を実施するか、または、前記コンピュータプログラムが実行されると、項目１５−１９のいずれか１項に記載の電力制御方法を実施するか、または、前記コンピュータプログラムが実行されると、項目２０に記載の電力制御方法を実施するように構成される、通信ノード。
（項目２６）
プロセッサによって実行されると、項目１−１４のいずれか１項に記載の電力制御方法を遂行するか、または項目１５−１９のいずれか１項に記載の電力制御方法を遂行するか、または項目２０に記載の電力制御方法を遂行するコンピュータプログラムを記憶するように構成される、コンピュータ可読記憶媒体。
【国際調査報告】
2021510479.tif 000028
2021510479.tif 000029
2021510479.tif 000030
2021510479.tif 000031